(57)【特許請求の範囲】
【請求項１】
受信装置へ無線信号を送信してから所定期間後に前記無線信号に対する送達確認情報を受信する送信装置と前記受信装置とを含む通信システムの中継装置において、
前記送信装置から送信された無線信号を受信して復号する受信手段と、
前記受信手段によって復号された無線信号が中継対象か否かを判断する判断手段と、
前記判断手段によって中継対象であると判断された場合に、前記無線信号を再生中継することを示す中継情報を前記送信装置へ通知することにより前記送信装置に対して前記送達確認情報の受信タイミングを所定時間遅延させる通知手段と、
前記判断手段によって中継対象であると判断された無線信号を前記受信装置へ送信する送信手段と、
を備えることを特徴とする中継装置。
【請求項２】
前記通知手段は、自装置の再生中継によって前記無線信号が遅延する時間を示す遅延量情報を含む前記中継情報を通知することにより、前記送信装置に対して前記送達確認情報の受信タイミングを前記遅延量情報に基づく所定時間遅延させることを特徴とする請求項１に記載の中継装置。
【請求項３】
前記中継装置は、前記受信手段によって無線信号が正常に復号されたか否かを判定する復号判定手段をさらに備え、
前記送信手段は、前記復号判定手段によって前記無線信号が正常に復号されたと判定された場合に前記無線信号を前記受信装置へ送信することを特徴とする請求項１または２に記載の中継装置。
【請求項４】
前記中継装置は、前記受信手段によって復号された無線信号の通信品質が閾値以上か否かを判定する品質判定手段をさらに備え、
前記送信手段は、前記品質判定手段によって通信品質が閾値以上であると判定された場合に前記無線信号を前記受信装置へ送信することを特徴とする請求項１または２に記載の中継装置。
【請求項５】
受信装置を宛先とする無線信号を送信する送信手段と、
前記送信手段によって前記無線信号が送信されてから所定期間が経過した受信タイミングで前記無線信号に対する送達確認情報を受信する送達確認受信手段と、
前記送信手段によって送信された無線信号を受信した、前記無線信号を再生中継する中継装置から前記無線信号を再生中継することを示す中継情報を受信する受信手段と、
前記受信手段によって中継情報が受信された場合に、前記送達確認受信手段の前記受信タイミングを所定時間遅延させるタイミング制御手段と、
を備えることを特徴とする送信装置。
【請求項６】
前記送信手段は、前記受信手段によって中継情報が受信された場合に、前記中継情報が示す無線信号を再度送信し、
前記送達確認受信手段は、前記送信手段によって前記無線信号が再度送信されてから所定期間が経過した受信タイミングで前記無線信号に対する送達確認情報を受信することを特徴とする請求項５に記載の送信装置。
【請求項７】
前記受信手段は、前記中継装置の再生中継によって前記無線信号が遅延する時間を示す遅延量情報を含む前記中継情報を受信し、
前記タイミング制御手段は、前記受信手段によって受信された中継情報に含まれる遅延量情報が示す時間だけ前記受信タイミングを遅延させることを特徴とする請求項５または６に記載の送信装置。
【請求項８】
受信装置を宛先とする無線信号を送信するとともに、前記無線信号を送信してから所定期間が経過した受信タイミングで前記無線信号に対する送達確認情報を受信する送信装置と、
前記送信装置によって送信された無線信号を受信すると、受信した無線信号を再生中継するとともに、前記受信した無線信号を再生中継することを示す中継情報を前記送信装置へ送信する中継装置と、
前記中継装置によって再生中継された無線信号を受信する受信装置と、
を含み、
前記送信装置は、前記中継装置によって送信された中継情報を受信した場合に、前記受信タイミングを所定時間遅延させることを特徴とする通信システム。
【請求項９】
受信装置へ無線信号を送信してから所定期間後に前記無線信号に対する送達確認情報を受信する送信装置と、前記無線信号を再生中継する中継装置と、前記受信装置と、を含む通信システムにおいて、
受信装置を宛先とする無線信号を送信するとともに、前記無線信号を送信してから所定期間が経過した受信タイミングで前記無線信号に対する送達確認情報を受信する送信装置と、
前記送信装置によって送信された無線信号を再生中継する中継装置と、
前記中継装置によって再生中継された無線信号を受信すると、受信した無線信号が前記中継装置によって再生中継されたことを示す中継情報を前記送信装置へ送信する受信装置と、
を含み、
前記送信装置は、前記中継装置によって送信された中継情報を受信した場合に、前記受信タイミングを所定時間遅延させることを特徴とする通信システム。
【請求項１０】
受信装置へ無線信号を送信してから所定期間後に前記無線信号に対する送達確認情報を受信する送信装置と前記受信装置とを含む通信システムの中継装置の通信方法において、
前記送信装置から送信された無線信号を受信して復号する受信工程と、
前記受信工程によって復号された無線信号が中継対象か否かを判断する判断工程と、
前記判断工程によって中継対象であると判断された場合に、前記無線信号を再生中継することを示す中継情報を前記送信装置へ通知することにより前記送信装置に対して前記送達確認情報の受信タイミングを所定時間遅延させる通知工程と、
前記判断工程によって中継対象であると判断された無線信号を前記受信装置へ送信する送信工程と、
を含むことを特徴とする通信方法。
【発明の詳細な説明】
【技術分野】
【０００１】
この発明は、無線通信を行う中継装置、送信装置、通信システムおよび通信方法に関する。
【背景技術】
【０００２】
次世代の無線通信方式として、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）が標準化されている。さらに、ＬＴＥ−Ａｄｖａｎｃｅｄの議論も開始された。その中で、セルカバレッジや周波数利用効率の向上を図る技術としてＲＮ（Ｒｅｌａｙ  Ｎｏｄｅ：中継局）の導入が検討されている（たとえば、下記非特許文献１参照。）。
【０００３】
ＲＮには、受信したＲＦ（Ｒａｄｉｏ  Ｆｒｅｑｕｅｎｃｙ）信号を直接増幅して送信するＡＦ（Ａｍｐｌｉｔｕｄｅ  ａｎｄ  Ｆｏｒｗａｒｄ）方式や、受信した信号の復調および復号を行って再生中継するＤＦ（Ｄｅｃｏｄｅ  ａｎｄ  Ｆｏｒｗａｒｄ）方式などがある。ＤＦ方式は、受信信号を復号して再生中継するため、雑音除去や再スケジューリングなどが可能である。
【０００４】
また、ｅＮＢ（基地局）は、ＵＥ（Ｕｓｅｒ  Ｅｑｕｉｐｍｅｎｔ：ユーザ端末）へ送信した無線信号に対する送達確認情報（ＡＣＫまたはＮＡＣＫ）を、あらかじめ定められた受信タイミングによって受信する。ｅＮＢは、受信した送達確認情報がＮＡＣＫだった場合に無線信号を再度送信する再送制御（ＡＲＱ：Ａｕｔｏｍａｔｉｃ  Ｒｅｐｅａｔ  Ｒｅｑｕｅｓｔ）を行う。また、誤り訂正と再送制御を組み合わせたＨＡＲＱ（Ｈｙｂｒｉｄ  ＡＲＱ）も用いられている。
【先行技術文献】
【非特許文献】
【０００５】
【非特許文献１】樋口健一，田岡秀和，岸山祥久，森本彰人，三木信彦，丹野元博，佐和橋衛，「ＬＴＥ−Ａｄｖａｎｃｅｄにおけるリレー伝送法の検討  Ｉｎｖｅｓｔｉｇａｔｉｏｎｓ  ｏｎ  Ｒｅｌａｙ  Ｔｒａｎｓｍｉｓｓｉｏｎ  Ｓｃｈｅｍｅｓ  ｉｎ  ＬＴＥ−Ａｄｖａｎｃｅｄ」，２００８年電子情報通信学会通信ソサイエティ大会，２００８年９月１６日、ｐ．３２８
【発明の概要】
【発明が解決しようとする課題】
【０００６】
しかしながら、上述した従来技術では、無線中継装置によって無線信号が再生中継されると無線信号が遅延するため、無線信号を受信した受信装置による送達確認情報の送信も遅延する。このため、無線信号を送信した送信装置において、あらかじめ定められた受信タイミングによって送達確認情報を受信することが困難であるという問題がある。このため、たとえば、再生中継された無線信号に対する送達確認情報が送信装置における受信タイミングに間に合わずに常に再送動作を行うことになるなど、再送制御が不安定になる。
【０００７】
開示の中継装置、送信装置、通信システムおよび通信方法は、上述した問題点を解消するものであり、再送制御を安定させることを目的とする。
【課題を解決するための手段】
【０００８】
上述した課題を解決し、目的を達成するため、この中継装置は、受信装置へ無線信号を送信してから所定期間後に前記無線信号に対する送達確認情報を受信する送信装置と前記受信装置とを含む通信システムの中継装置において、前記送信装置から送信された無線信号を受信して復号する受信手段と、前記受信手段によって復号された無線信号が中継対象か否かを判断する判断手段と、前記判断手段によって中継対象であると判断された場合に、前記無線信号を再生中継することを示す中継情報を前記送信装置へ通知する通知手段と、前記判断手段によって中継対象であると判断された無線信号を前記受信装置へ送信する送信手段と、を備える。
【０００９】
上記構成によれば、送信装置側で、送達確認情報の受信タイミングを、中継装置の再生中継による無線信号の遅延分だけ調整することが可能になる。
【発明の効果】
【００１０】
開示の中継装置、送信装置、通信システムおよび通信方法によれば、再送制御を安定させることができる。
【図面の簡単な説明】
【００１１】
【図１】図１は、実施の形態１にかかるＲＮの構成を示すブロック図である。
【図２】図２は、実施の形態１にかかるｅＮＢの構成を示すブロック図である。
【図３】図３は、実施の形態１にかかるＵＥの構成を示すブロック図である。
【図４】図４は、各通信装置のプロトコルスタックを示す図である。
【図５】図５は、実施の形態１にかかるＲＮの動作の一例を示すフローチャートである。
【図６】図６は、実施の形態１にかかるｅＮＢの動作の一例を示すフローチャートである。
【図７】図７は、実施の形態１にかかるＵＥの動作の一例を示すフローチャートである。
【図８】図８は、実施の形態１にかかる通信システムの動作の一例を示すシーケンス図である。
【図９】図９は、図８に示した動作の具体例のタイムチャートを示す図である。
【図１０】図１０は、実施の形態２にかかるＲＮの構成を示すブロック図である。
【図１１】図１１は、実施の形態２にかかるＵＥの構成を示すブロック図である。
【図１２】図１２は、実施の形態２にかかるＲＮの動作の一例を示すフローチャートである。
【図１３】図１３は、実施の形態２にかかるｅＮＢの動作の一例を示すフローチャートである。
【図１４】図１４は、実施の形態２にかかるＵＥの動作の一例を示すフローチャートである。
【図１５】図１５は、実施の形態２にかかる通信システムの動作の一例を示すシーケンス図である。
【図１６】図１６は、実施の形態３にかかるＲＮの構成を示すブロック図である。
【図１７】図１７は、実施の形態３にかかるＵＥの構成を示すブロック図である。
【図１８】図１８は、実施の形態３にかかるＲＮの動作の一例を示すフローチャートである。
【図１９】図１９は、実施の形態３にかかるＵＥの動作の一例を示すフローチャートである。
【図２０】図２０は、実施の形態３にかかる通信システムの動作の一例を示すシーケンス図である。
【図２１】図２１は、実施の形態４にかかる通信システムの動作の一例を示すシーケンス図である。
【図２２】図２２は、実施の形態５にかかるＲＮの構成を示すブロック図である。
【図２３】図２３は、実施の形態５にかかるＲＮの動作の一例を示すフローチャートである。
【図２４】図２４は、実施の形態５にかかる通信システムの動作の一例を示すシーケンス図である。
【図２５】図２５は、実施の形態６にかかるＲＮの構成を示すブロック図である。
【図２６】図２６は、実施の形態６にかかるＲＮの動作の一例を示すフローチャートである。
【図２７】図２７は、実施の形態６にかかる通信システムの動作の一例を示すシーケンス図である。
【図２８】図２８は、実施の形態７にかかるＵＥの構成を示すブロック図である。
【図２９】図２９は、実施の形態７にかかるＵＥの動作を示すフローチャートである。
【図３０】図３０は、実施の形態７にかかる通信システムの動作の一例を示すシーケンス図である。
【図３１】図３１は、実施の形態８にかかるＲＮの構成を示すブロック図である。
【図３２】図３２は、実施の形態８にかかるＵＥの構成を示すブロック図である。
【図３３】図３３は、実施の形態８にかかるｅＮＢの構成を示すブロック図である。
【発明を実施するための形態】
【００１２】
以下に添付図面を参照して、この中継装置、送信装置、通信システムおよび通信方法の好適な実施の形態を詳細に説明する。この中継装置、送信装置、通信システムおよび通信方法は、ｅＮＢが送信した無線信号がＲＮによって再生中継されることをｅＮＢへ通知する。これにより、無線信号に対する送達確認情報のｅＮＢにおける受信タイミングを再生中継による遅延分だけ調整し、再送制御を安定させる。
【００１３】
（実施の形態１）
（実施の形態１にかかる各装置の構成）
図１は、実施の形態１にかかるＲＮの構成を示すブロック図である。実施の形態１にかかるＲＮは、ｅＮＢ（図２参照）とＵＥ（図３参照）とを含む通信システムにおいて、ｅＮＢがＵＥへ送信する無線信号を再生中継する中継装置である。ｅＮＢは、ＵＥへ無線信号を送信してから所定期間後に、無線信号に対する送達確認情報をＵＥから受信する。
【００１４】
図１に示すように、実施の形態１にかかるＲＮ１００は、ＤＬ受信アンテナ１０１と、ＵＬ送信アンテナ１０２と、ＤＬ送信アンテナ１０３と、ＵＬ受信アンテナ１０４と、ＤＬ受信機１１０と、ＤＬ＿ＰＨＹ処理部１２０と、中継判断部１３０と、中継情報生成部１４０と、ＵＬ＿ＰＨＹ処理部１５０と、ＵＬ送信機１６０と、ＤＬ送信機１７０と、ＵＬ受信機１８０と、を備えている。ＤＬ＿ＰＨＹ処理部１２０、中継判断部１３０およびＵＬ＿ＰＨＹ処理部１５０は、たとえばＣＰＵ（Ｃｅｎｔｒａｌ  Ｐｒｏｃｅｓｓｉｎｇ  Ｕｎｉｔ）などの演算手段によって実現される。
【００１５】
ＤＬ受信機１１０は、ｅＮＢから送信されたダウンリンクの無線信号を、ＤＬ受信アンテナ１０１を介して受信する。ＤＬ受信機１１０が受信する無線信号には、ＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）の制御情報とＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）のデータが含まれている。
【００１６】
制御情報には、たとえば、無線信号の送信元（ここではｅＮＢ）や宛先（ここではＵＥ）などが含まれている。ＤＬ受信機１１０は、受信した制御情報およびデータを復号し、復号した制御情報およびデータをＤＬ＿ＰＨＹ処理部１２０へ出力する。
【００１７】
ＤＬ＿ＰＨＹ処理部１２０は、ＤＬ受信機１１０から出力された制御情報およびデータのレイヤ１（物理層）の処理を行う。ＤＬ＿ＰＨＹ処理部１２０は、レイヤ１の処理を行った制御情報を中継判断部１３０へ出力する。また、ＤＬ＿ＰＨＹ処理部１２０は、レイヤ１の処理を行った制御情報およびデータをＤＬ送信機１７０へ出力する。
【００１８】
中継判断部１３０は、ＤＬ＿ＰＨＹ処理部１２０から出力された制御情報に基づいて、ＤＬ受信機１１０によって受信された無線信号がＲＮ１００の中継対象であるか否かを判断する。たとえば、ＲＮ１００のメモリには、ＲＮ１００の中継対象となる無線信号の各宛先を示す登録情報が記憶されている。そして、中継判断部１３０は、制御情報に含まれる無線信号の宛先が登録情報に含まれているか否かを判断することによって、無線信号がＲＮ１００の中継対象であるか否かを判断する。中継判断部１３０は、判断結果をＤＬ送信機１７０および中継情報生成部１４０のそれぞれへ出力する。
【００１９】
中継情報生成部１４０は、無線信号がＲＮ１００の中継対象である旨の判断結果が中継判断部１３０から出力されると中継情報を生成し、生成した中継情報をＵＬ＿ＰＨＹ処理部１５０へ出力する。中継情報生成部１４０が生成する中継情報は、ｅＮＢがＵＥを宛先として送信した無線信号をＲＮ１００によって再生中継することを示す情報である。
【００２０】
ＵＬ＿ＰＨＹ処理部１５０は、中継情報生成部１４０から中継情報が出力されると、ＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）に中継情報を配置し、ＰＵＣＣＨに配置した中継情報をＵＬ送信機１６０へ出力する。また、ＵＬ＿ＰＨＹ処理部１５０は、ＵＬ受信機１８０から出力された送達確認情報（ＡＣＫまたはＮＡＣＫ）のレイヤ１（物理層）の処理を行い、レイヤ１の処理を行った送達確認情報をＵＬ送信機１６０へ出力する。
【００２１】
ＵＬ送信機１６０は、ＵＬ＿ＰＨＹ処理部１５０から出力された中継情報を符号化する。ＵＬ送信機１６０は、符号化した中継情報を、ＵＬ送信アンテナ１０２を介してｅＮＢへ送信する。また、ＵＬ送信機１６０は、ＵＬ＿ＰＨＹ処理部１５０から出力された送達確認情報を符号化する。ＵＬ送信機１６０は、符号化した送達確認情報を、ＵＬ送信アンテナ１０２を介してｅＮＢへ送信する。
【００２２】
ＤＬ送信機１７０は、無線信号がＲＮ１００の中継対象である旨の判断結果が中継判断部１３０から出力されると、ＤＬ＿ＰＨＹ処理部１２０から出力された制御情報およびデータを符号化する。ＤＬ送信機１７０は、符号化した制御情報およびデータを、ＤＬ送信アンテナ１０３を介してＵＥへ送信する。
【００２３】
ＵＬ受信機１８０は、ＵＥから送信された無線信号を、ＵＬ受信アンテナ１０４を介して受信し、受信した送達確認情報を復号する。ＵＬ受信機１８０が受信する無線信号には、ＰＵＣＣＨの制御情報が含まれている。ＰＵＣＣＨの制御情報には、ｅＮＢによって送信され、ＲＮ１００によって再生中継された無線信号に対する送達確認情報（ＡＣＫまたはＮＡＣＫ）が含まれている。ＵＬ受信機１８０は、復号した制御情報をＵＬ＿ＰＨＹ処理部１５０へ出力する。
【００２４】
図２は、実施の形態１にかかるｅＮＢの構成を示すブロック図である。実施の形態１にかかるｅＮＢは、ＵＥへ無線信号を送信してから所定期間後に、送信した無線信号に対する送達確認情報をＵＥから受信する送信装置である。図２に示すように、実施の形態１にかかるｅＮＢ２００は、送信アンテナ２０１と、受信アンテナ２０２と、ＲＬＣ／ＭＡＣ処理部２１０と、ＤＬ＿ＰＨＹ処理部２２０と、送信機２３０と、受信機２４０と、ＵＬ＿ＰＨＹ処理部２５０と、中継情報検出部２６０と、ＡＣＫ／ＮＡＣＫタイミング制御部２７０と、ＡＣＫ／ＮＡＣＫ受信部２８０と、を備えている。
【００２５】
ＲＬＣ／ＭＡＣ処理部２１０には、たとえば上位の情報処理部から、ＵＥを宛先とするダウンリンクのデータが入力される。ＲＬＣ／ＭＡＣ処理部２１０は、入力されたデータに対して、レイヤ２の処理を行う。レイヤ２の処理は、たとえば、ＲＬＣ（Ｒａｄｉｏ  Ｌｉｎｋ  Ｃｏｎｔｒｏｌ）層やＭＡＣ（Ｍｅｄｉｕｍ  Ａｃｃｅｓｓ  Ｃｏｎｔｒｏｌ）層の処理である。ＲＬＣ／ＭＡＣ処理部２１０は、レイヤ２の処理を行ったデータと、レイヤ２の制御情報と、をＤＬ＿ＰＨＹ処理部２２０へ出力する。
【００２６】
また、ＲＬＣ／ＭＡＣ処理部２１０は、ＡＣＫ／ＮＡＣＫ受信部２８０から出力された送達確認情報（ＡＣＫまたはＮＡＣＫ）に基づいて、ＤＬ＿ＰＨＹ処理部２２０へ出力した制御情報およびデータの再送制御を行う。具体的には、ＲＬＣ／ＭＡＣ処理部２１０は、ＡＣＫ／ＮＡＣＫ受信部２８０からＮＡＣＫが出力された場合は、ＤＬ＿ＰＨＹ処理部２２０へ出力した制御情報およびデータを再度、ＤＬ＿ＰＨＹ処理部２２０へ出力する。
【００２７】
また、ＲＬＣ／ＭＡＣ処理部２１０は、ＡＣＫ／ＮＡＣＫ受信部２８０からＡＣＫが出力された場合はデータの再送を行わない。また、ＲＬＣ／ＭＡＣ処理部２１０は、ＵＬ＿ＰＨＹ処理部２５０から出力されたアップリンクの制御情報およびデータに対してレイヤ２の処理を行い、レイヤ２の処理を行った制御情報およびデータを、たとえば上位の情報処理部へ出力する。
【００２８】
ＤＬ＿ＰＨＹ処理部２２０は、ＲＬＣ／ＭＡＣ処理部２１０から出力された制御情報およびデータに対してレイヤ１の処理を行う。ＤＬ＿ＰＨＹ処理部２２０は、レイヤ１の処理を行った制御情報をＰＤＣＣＨに配置し、ＰＤＣＣＨに配置した制御情報を送信機２３０へ出力する。また、ＤＬ＿ＰＨＹ処理部２２０は、レイヤ１の処理を行ったデータをＰＤＳＣＨに配置し、ＰＤＳＣＨに配置したデータを送信機２３０へ出力する。
【００２９】
送信機２３０は、ＤＬ＿ＰＨＹ処理部２２０から出力された制御情報を、送信アンテナ２０１を介して送信する。また、送信機２３０は、ＤＬ＿ＰＨＹ処理部２２０から出力されたデータを、送信アンテナ２０１を介して送信する。送信機２３０によって送信された制御情報およびデータは、ＲＮ１００（図１参照）によって受信される。
【００３０】
受信機２４０は、ＲＮ１００から送信されたアップリンクの無線信号を、受信アンテナ２０２を介して受信する。受信機２４０が受信する無線信号には、ＰＵＣＣＨの制御情報とＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）のデータが含まれている。
【００３１】
ＰＵＣＣＨの制御情報には、ＲＮ１００から送信された中継情報が含まれている。また、ＰＵＣＣＨの制御情報には、ｅＮＢ２００によって送信された無線信号に対するＵＥからの送達確認情報が含まれている。受信機２４０は、受信した制御情報およびデータを復号し、復号した制御情報およびデータをＵＬ＿ＰＨＹ処理部２５０へ出力する。
【００３２】
ＵＬ＿ＰＨＹ処理部２５０は、受信機２４０から出力された制御情報およびデータに対してレイヤ１の処理を行い、レイヤ１の処理を行った制御情報およびデータをＲＬＣ／ＭＡＣ処理部２１０へ出力する。また、ＵＬ＿ＰＨＹ処理部２５０は、レイヤ１の処理を行った制御情報を中継情報検出部２６０へ出力する。
【００３３】
中継情報検出部２６０は、ＵＬ＿ＰＨＹ処理部２５０から出力された制御情報を監視し、制御情報に含まれる中継情報を検出する。中継情報検出部２６０は、中継情報を検出すると、検出した中継情報をＡＣＫ／ＮＡＣＫタイミング制御部２７０へ出力する。
【００３４】
ＡＣＫ／ＮＡＣＫタイミング制御部２７０は、ＡＣＫ／ＮＡＣＫ受信部２８０が送達確認情報を受信する受信タイミングを制御する。たとえば、ＡＣＫ／ＮＡＣＫタイミング制御部２７０は、ｅＮＢ２００によって無線信号が送信されてから所定期間だけ待機する。そして、ＡＣＫ／ＮＡＣＫタイミング制御部２７０は、所定期間が経過すると、送達確認情報を受信すべき旨をＡＣＫ／ＮＡＣＫ受信部２８０に指示する。
【００３５】
ＡＣＫ／ＮＡＣＫタイミング制御部２７０が待機する所定期間は、たとえば、ｅＮＢ２００によって無線信号が送信されてから、４サブフレーム分（ＰＤＣＣＨとＰＤＳＣＨを含む無線信号を４回送信する期間）である。また、ＡＣＫ／ＮＡＣＫタイミング制御部２７０は、中継情報検出部２６０から中継情報が出力されると、中継情報が示す無線信号に対する送達確認情報の受信タイミングを変更する。
【００３６】
たとえば、ｅＮＢ２００のメモリには、ＲＮ１００による再生中継により無線信号が遅延する時間を示す遅延量情報が記憶されている。そして、ＡＣＫ／ＮＡＣＫタイミング制御部２７０は、中継情報が示す無線信号に対する送達確認情報の受信タイミングを、遅延量情報が示す時間だけ遅らせる。具体的には、ＡＣＫ／ＮＡＣＫタイミング制御部２７０は、ｅＮＢ２００によって無線信号が送信されてから待機する所定期間を、遅延量情報が示す時間だけ延長する。
【００３７】
ＡＣＫ／ＮＡＣＫ受信部２８０は、送達確認情報を受信すべき旨をＡＣＫ／ＮＡＣＫタイミング制御部２７０から指示されると、ＵＬ＿ＰＨＹ処理部２５０から出力された制御情報に含まれる送達確認情報を受信する。ＡＣＫ／ＮＡＣＫ受信部２８０は、受信した送達確認情報をＲＬＣ／ＭＡＣ処理部２１０へ出力する。
【００３８】
図３は、実施の形態１にかかるＵＥの構成を示すブロック図である。実施の形態１にかかるＵＥは、ＲＮ１００（図１参照）の中継によって、ｅＮＢ２００（図２参照）から送信された無線信号を受信する受信装置である。図３に示すように、実施の形態１にかかるＵＥ３００は、受信アンテナ３０１と、送信アンテナ３０２と、受信機３１０と、ＤＬ＿ＰＨＹ処理部３２０と、ＲＬＣ／ＭＡＣ処理部３３０と、ＡＣＫ／ＮＡＣＫ送信部３４０と、ＵＬ＿ＰＨＹ処理部３５０と、送信機３６０と、を備えている。
【００３９】
受信機３１０は、ｅＮＢ２００から送信され、ＲＮ１００によって再生中継された無線信号を、受信アンテナ３０１を介して受信する。受信機３１０が受信する無線信号には、ＰＤＣＣＨの制御情報とＰＤＳＣＨのデータが含まれている。受信機３１０は、受信した制御情報およびデータを復号し、復号した制御情報およびデータをＤＬ＿ＰＨＹ処理部３２０へ出力する。ＤＬ＿ＰＨＹ処理部３２０は、ＤＬ受信機１１０から出力された制御情報およびデータのレイヤ１の処理を行い、レイヤ１の処理を行った制御情報およびデータをＲＬＣ／ＭＡＣ処理部３３０へ出力する。
【００４０】
ＲＬＣ／ＭＡＣ処理部３３０は、ＤＬ＿ＰＨＹ処理部３２０から出力された制御情報およびデータのレイヤ２の処理を行う。たとえば、ＲＬＣ／ＭＡＣ処理部３３０は、ＤＬ＿ＰＨＹ処理部３２０から出力された制御情報およびデータのレイヤ２の誤り判定を行い、受信機３１０によって受信された無線信号が正常に復号できたか否かを判断する。ＲＬＣ／ＭＡＣ処理部３３０は、判断結果をＡＣＫ／ＮＡＣＫ送信部３４０へ出力する。
【００４１】
また、ＲＬＣ／ＭＡＣ処理部３３０は、レイヤ２の処理を行ったデータを、たとえば上位の情報処理部へ出力する。また、ＲＬＣ／ＭＡＣ処理部３３０には、たとえば上位の情報処理部から、ｅＮＢ２００を宛先とするアップリンクのデータが入力される。ＲＬＣ／ＭＡＣ処理部３３０は、入力されたデータに対してレイヤ２の処理を行い、レイヤ２の処理を行ったデータとレイヤ２の制御情報とをＵＬ＿ＰＨＹ処理部３５０へ出力する。
【００４２】
ＡＣＫ／ＮＡＣＫ送信部３４０は、ＲＬＣ／ＭＡＣ処理部３３０から出力された判断結果に応じて、ｅＮＢ２００に対する送達確認情報の送信を行う。具体的には、ＡＣＫ／ＮＡＣＫ送信部３４０は、無線信号を正常に復号できた旨の判断結果がＲＬＣ／ＭＡＣ処理部３３０から出力されると、送達確認情報としてＡＣＫをＵＬ＿ＰＨＹ処理部３５０へ出力する。また、ＡＣＫ／ＮＡＣＫ送信部３４０は、無線信号を正常に復号できなかった旨の判断結果がＲＬＣ／ＭＡＣ処理部３３０から出力されると、送達確認情報としてＮＡＣＫをＵＬ＿ＰＨＹ処理部３５０へ出力する。
【００４３】
ＵＬ＿ＰＨＹ処理部３５０は、ＲＬＣ／ＭＡＣ処理部３３０から出力された制御情報およびデータに対してレイヤ１の処理を行い、レイヤ１の処理を行った制御情報およびデータを送信機３６０へ出力する。また、ＵＬ＿ＰＨＹ処理部３５０は、ＡＣＫ／ＮＡＣＫ送信部３４０から出力された送達確認情報（ＡＣＫまたはＮＡＣＫ）をＰＵＣＣＨに配置し、ＰＵＣＣＨに配置した送達確認情報を送信機３６０へ出力する。
【００４４】
送信機３６０は、ＵＬ＿ＰＨＹ処理部３５０から出力された中継情報およびデータを符号化する。送信機３６０は、符号化した中継情報およびデータを、送信アンテナ３０２を介して送信する。また、送信機３６０は、ＵＬ＿ＰＨＹ処理部３５０から出力された送達確認情報を符号化する。送信機３６０は、符号化した送達確認情報を、送信アンテナ３０２を介して送信する。送信機３６０によって送信された中継情報、データおよび送達確認情報は、ＲＮ１００によって中継され、ｅＮＢ２００によって受信される。
【００４５】
（各通信装置のプロトコルスタック）
図４は、各通信装置のプロトコルスタックを示す図である。図４に示すプロトコルスタック４１０は、ＲＮ１００（図１参照）が終端するプロトコルを示している。プロトコルスタック４１０に示すように、ＲＮ１００は、レイヤ１（Ｌ１）の終端を行い、レイヤ２以上（ＭＡＣ、ＲＬＣおよびＰＤＣＰ）のプロトコルについては終端しない。
【００４６】
プロトコルスタック４２０は、ｅＮＢ２００（図２参照）が終端するプロトコルを示している。プロトコルスタック４２０に示すように、ｅＮＢ２００は、レイヤ１（Ｌ１）およびレイヤ２（ＭＡＣ、ＲＬＣおよびＰＤＣＰ）のプロトコルの終端を行う。プロトコルスタック４３０は、ＵＥ３００（図３参照）が終端するプロトコルを示している。プロトコルスタック４３０に示すように、ＵＥ３００は、レイヤ１（Ｌ１）およびレイヤ２（ＭＡＣ、ＲＬＣおよびＰＤＣＰ）のプロトコルの終端を行う。
【００４７】
（実施の形態１にかかる各装置の動作）
図５は、実施の形態１にかかるＲＮの動作の一例を示すフローチャートである。図５に示すように、ＲＮ１００は、まず、ｅＮＢ２００から送信された無線信号を受信したか否かを判断し（ステップＳ５０１）、受信するまで待つ（ステップＳ５０１：Ｎｏのループ）。無線信号を受信すると（ステップＳ５０１：Ｙｅｓ）、ステップＳ５０１によって受信された無線信号を復号する（ステップＳ５０２）。
【００４８】
つぎに、ステップＳ５０１によって受信された無線信号がＲＮ１００の中継対象であるか否かを判断する（ステップＳ５０３）。無線信号が中継対象でない場合（ステップＳ５０３：Ｎｏ）は、一連の動作を終了する。無線信号が中継対象である場合（ステップＳ５０３：Ｙｅｓ）は、中継情報をｅＮＢ２００へ通知する（ステップＳ５０４）。
【００４９】
つぎに、ステップＳ５０２によって復号された制御情報およびデータを符号化する（ステップＳ５０５）。つぎに、ステップＳ５０５によって符号化された無線信号をＵＥ３００へ送信し（ステップＳ５０６）、一連の動作を終了する。以上のステップを繰り返し行うことで、ＲＮ１００の中継対象の無線信号を受信した場合に、無線信号を再生中継する旨をｅＮＢ２００に通知するとともに、無線信号を再生中継することができる。
【００５０】
図６は、実施の形態１にかかるｅＮＢの動作の一例を示すフローチャートである。図６に示すように、ｅＮＢ２００は、まず、無線信号を送信する（ステップＳ６０１）。ステップＳ６０１によって送信された無線信号は、宛先がＵＥ３００である場合は、ＲＮ１００による中継でＵＥ３００によって受信される。また、ステップＳ６０１によって送信された無線信号は、宛先がＵＥ３００でない場合は、ＲＮ１００や他のＲＮによって中継されるとは限らず、直接、他のＵＥによって受信されることがあってもよい。
【００５１】
つぎに、ＲＮ１００からの中継情報を受信したか否かを判断する（ステップＳ６０２）。中継情報を受信していない場合（ステップＳ６０２：Ｎｏ）は、ステップＳ６０４へ進んで処理を続行する。中継情報を受信した場合（ステップＳ６０２：Ｙｅｓ）は、ステップＳ６０１によって送信された無線信号に対する送達確認情報の受信タイミングを変更する（ステップＳ６０３）。
【００５２】
つぎに、ステップＳ６０１によって無線信号が送信されてから所定期間が経過した受信タイミングまで待機する（ステップＳ６０４）。つぎに、ステップＳ６０１によって送信された無線信号に対してＵＥ（たとえばＵＥ３００）から送信された送達確認情報を受信する（ステップＳ６０５）。つぎに、ステップＳ６０５によって受信された送達確認情報がＡＣＫであるか否かを判断する（ステップＳ６０６）。
【００５３】
ステップＳ６０６において、送達確認情報がＡＣＫではなくＮＡＣＫである場合（ステップＳ６０６：Ｎｏ）は、ステップＳ６０１によって送信された無線信号を再度送信し（ステップＳ６０７）、ステップＳ６０４に戻って処理を続行する。ステップＳ６０７からステップＳ６０４へ戻った場合は、ステップＳ６０４において、ステップＳ６０７によって無線信号が再度送信されてから所定期間が経過した受信タイミングまで待機する。
【００５４】
ステップＳ６０６において、送達確認情報がＡＣＫである場合（ステップＳ６０６：Ｙｅｓ）は、一連の動作を終了する。以上のステップを、入力されるダウンリンクのデータごとに行うことで、無線信号に対するＮＡＣＫが送信された場合に無線信号を再度送信することができる。また、送信した無線信号がＲＮ１００によって再生中継される場合には、再生中継で遅延する分だけ送達確認情報の受信タイミングを調整することができる。
【００５５】
図７は、実施の形態１にかかるＵＥの動作の一例を示すフローチャートである。図７に示すように、まず、ｅＮＢ２００によって送信され、ＲＮ１００によって中継された無線信号を受信したか否かを判断し（ステップＳ７０１）、受信するまで待つ（ステップＳ７０１：Ｎｏのループ）。無線信号を受信すると（ステップＳ７０１：Ｙｅｓ）、受信した無線信号を復号する（ステップＳ７０２）。つぎに、ステップＳ７０２によって無線信号が正常に復号できたか否かを判断する（ステップＳ７０３）。
【００５６】
ステップＳ７０３において、無線信号が正常に復号できたと判断した場合（ステップＳ７０３：Ｙｅｓ）は、送達確認情報としてＡＣＫをｅＮＢ２００へ送信し（ステップＳ７０４）、一連の動作を終了する。無線信号が正常に復号できなかったと判断した場合（ステップＳ７０３：Ｎｏ）は、送達確認情報としてＮＡＣＫをｅＮＢ２００へ送信し（ステップＳ７０５）、一連の動作を終了する。
【００５７】
以上のステップを繰り返し行うことで、ｅＮＢ２００から送信された無線信号を正常に復号できた場合はｅＮＢ２００へＡＣＫを送信し、ｅＮＢ２００から送信された無線信号を正常に復号できなかった場合はｅＮＢ２００へＮＡＣＫを送信することができる。これにより、ｅＮＢ２００から送信された無線信号を正常に復号できなかった場合は、ｅＮＢ２００から無線信号を再度受信することができる。
【００５８】
図８は、実施の形態１にかかる通信システムの動作の一例を示すシーケンス図である。図８において、縦軸は時間を示している（以降の各シーケンス図においても同様）。まず、ｅＮＢ２００が、タイミングｔ１において、ＵＥ３００を宛先とするダウンリンクの無線信号を送信する（ステップＳ８０１）。ステップＳ８０１によって送信される無線信号には、ＰＤＣＣＨの制御情報とＰＤＳＣＨのデータが含まれている。ステップＳ８０１によって送信された無線信号はＲＮ１００によって受信される。
【００５９】
つぎに、ＲＮ１００が、ステップＳ８０１によって送信された無線信号がＲＮ１００の中継対象か否かを判断する（ステップＳ８０２）。ここでは無線信号が中継対象であると判断されたとする。つぎに、ＲＮ１００が、ステップＳ８０１によって送信された無線信号を再生中継することを示す中継情報をｅＮＢ２００へ通知する（ステップＳ８０３）。
【００６０】
また、ＲＮ１００が、ステップＳ８０１によって送信された無線信号をＵＥ３００へ送信する（ステップＳ８０４）。つぎに、ｅＮＢ２００が、ステップＳ８０３によって通知された中継情報に基づいて、ステップＳ８０１によって送信された無線信号に対する送達確認情報の受信タイミングを変更する（ステップＳ８０５）。
【００６１】
タイミングｔ２は、ステップＳ８０５によって変更される前の、送達確認情報の受信タイミングを示している。タイミングｔ３は、ステップＳ８０５によって変更された後の、送達確認情報の受信タイミングを示している。つぎに、ＵＥ３００が、ステップＳ８０４によって送信された無線信号に対する送達確認情報を、ＲＮ１００の中継によってｅＮＢ２００へ送信し（ステップＳ８０６）、一連の動作を終了する。
【００６２】
なお、点線矢印８１０は、ｅＮＢ２００から送信された無線信号がＲＮ１００を介さずに直接ＵＥ３００によって受信されたと仮定した場合を参考として示している。これに対して、図８に示す動作では、ｅＮＢ２００から送信された無線信号がＲＮ１００を介してＵＥ３００によって受信される。このため、ＲＮ１００の再生中継による遅延分だけ、点線矢印８１０に示す場合よりも無線信号が遅延してＵＥ３００に受信される。
【００６３】
点線矢印８２０は、点線矢印８１０に示したように、無線信号がＲＮ１００を介さずに直接ＵＥ３００によって受信されたと仮定した場合にＵＥ３００から送信される送達確認情報を示している。ｅＮＢ２００は、ステップＳ８０５の前においては、点線矢印８２０に示すタイミングで送達確認情報を受信できるように、タイミングｔ１から所定期間Ｔ１が経過したタイミングｔ２を送達確認情報の受信タイミングとして設定している。
【００６４】
また、ｅＮＢ２００は、ステップＳ８０５において、ＲＮ１００の再生中継によって遅延する分だけ送達確認情報の受信タイミングを遅らせる。具体的には、ｅＮＢ２００は、送達確認情報の受信タイミングを、タイミングｔ１から所定期間Ｔ２が経過したタイミングｔ３に変更する。所定期間Ｔ２は、たとえば、所定期間Ｔ１と、ＲＮ１００の再生中継によって無線信号が遅延する時間と、を合わせた期間である。
【００６５】
これにより、ｅＮＢ２００は、送達確認情報の受信タイミングを、ステップＳ８０５によって送達確認情報が送信されるタイミングにほぼ一致させることができる。以上のステップを、ｅＮＢ２００から送信する無線信号ごとに行うことで、ｅＮＢ２００における送達確認情報の受信タイミングを、ＲＮ１００の再生中継による無線信号の遅延分だけ調整することができる。
【００６６】
図９は、図８に示した動作の具体例のタイムチャートを示す図である。図９において、横軸は時間を示している。タイムチャート９１０（ＤＬ  Ｔｉｍｉｎｇ  ａｔ  ｅＮＢ）は、ｅＮＢ２００が無線信号（ＰＤＣＣＨ／ＰＤＳＣＨ）を送信するタイミングを示している。タイムチャート９２０（ＤＬ  Ｔｉｍｉｎｇ  ａｔ  ＲＮ）は、ＲＮ１００が無線信号（ＰＤＣＣＨ／ＰＤＳＣＨ）を受信するタイミングを示している。
【００６７】
タイムチャート９３０（ＤＬ  Ｔｉｍｉｎｇ  ａｔ  ＵＥ）は、ＵＥ３００がＲＮ１００によって再生中継された無線信号（ＰＤＣＣＨ／ＰＤＳＣＨ）を受信するタイミングを示している。タイムチャート９４０（ＵＬ  Ｔｉｍｉｎｇ  ａｔ  ＵＥ）は、ＵＥ３００が送達確認情報（ＰＵＣＣＨ）を送信するタイミングを示している。
【００６８】
ここでは、タイムチャート９１０の先頭に示した無線信号９５１に関する説明を行う。ｅＮＢ２００から送信された無線信号９５１は、タイムチャート９２０に示すように、ｅＮＢ２００とＲＮ１００との間の伝搬遅延に相当する期間Ｔ１の経過後にＲＮ１００によって受信される。
【００６９】
ＲＮ１００によって受信された無線信号９５１は、タイムチャート９３０に示すように、ＲＮ１００の再生中継処理期間に相当する期間Ｔ２と、ＲＮ１００とＵＥ３００との間の伝搬遅延に相当する期間Ｔ３と、の経過後にＵＥ３００によって受信される。無線信号９５１に対する送達確認情報９５２は、タイムチャート９４０に示すように、ＵＥ３００における処理期間に相当する期間Ｔ４の経過後に、ｅＮＢ２００へ送信される。
【００７０】
ｅＮＢ２００は、無線信号９５１を送信した時点では、無線信号９５１を送信してから４サブフレーム分の期間Ｔ５の経過時を送達確認情報の受信タイミングとして設定している。また、ｅＮＢ２００は、ＲＮ１００から中継情報を受信すると、期間Ｔ５と、期間Ｔ２などに相当する期間Ｔ６と、の経過時を送達確認情報の受信タイミングとして設定する。これにより、送達確認情報９５２を精度よく受信することができる。
【００７１】
たとえば、受信した送達確認情報がＮＡＣＫであった場合は、ｅＮＢ２００は、無線信号９５１と同じ無線信号９５３を送信する。ｅＮＢ２００から送信された無線信号は、ＲＮ１００によって再生中継され、ＵＥ３００によって受信される。このように、送達確認情報９５２を精度よく受信することで、無線信号９５１が正常に伝送できなかった場合に無線信号９５１と同じ無線信号９５３を送信する再送制御を安定して行うことができる。
【００７２】
このように、実施の形態１にかかるＲＮ１００は、ｅＮＢ２００が送信した無線信号がＲＮ１００によって再生中継されることを示す中継情報をｅＮＢ２００へ送信する。これにより、ｅＮＢ２００側で、送達確認情報の受信タイミングを、ＲＮ１００の再生中継による無線信号の遅延分だけ調整することが可能になる。このため、ＲＮ１００によって再生中継を行っても、ｅＮＢ２００が送達確認情報を精度よく受信することができる。したがって、安定して無線信号の再送制御を行うことができる。
【００７３】
また、ＲＮ１００からｅＮＢ２００へ中継情報を送信することで、ＲＮ１００によって再生中継する無線信号をｅＮＢ２００が特定し、特定した無線信号に対する送達確認情報の受信タイミングを調整することができる。このため、ＲＮ１００によって再生中継されない無線信号については、ｅＮＢ２００は、送達確認情報の受信タイミングを遅らせなくても送達確認情報を精度よく受信することができる。
【００７４】
このため、たとえばすべての無線信号に対する送達確認情報を受信する受信タイミングを常に遅らせる場合と比べて、再送制御の遅延を最小限に抑えつつ、ＲＮ１００によって再生中継する無線信号に対する送達確認情報を精度よく受信することができる。また、ｅＮＢ２００やＵＥ３００に高速な処理回路を用いなくても再送制御を安定させることができるため、ｅＮＢ２００やＵＥ３００の低コスト化を図ることができる。
【００７５】
また、実施の形態１にかかるｅＮＢ２００は、ＵＥ３００を宛先として送信した無線信号を再生中継することを示す中継情報を受信した場合に送達確認情報の受信タイミングを調整する。これにより、ＲＮ１００の再生中継によって無線信号が遅延し、ＵＥ３００から送信される送達確認情報が遅延しても送達確認情報を精度よく受信することができる。
【００７６】
また、中継情報を受信することで、ＲＮ１００によって再生中継する無線信号を特定し、特定した無線信号に対する送達確認情報の受信タイミングを調整することができる。このため、ＲＮ１００によって再生中継されない無線信号については、送達確認情報の受信タイミングを遅らせなくても送達確認情報を精度よく受信することができる。
【００７７】
（実施の形態２）
（実施の形態２にかかる各装置の構成）
図１０は、実施の形態２にかかるＲＮの構成を示すブロック図である。図１０において、図１に示した構成と同様の構成については同一の符号を付して説明を省略する。図１０に示すように、実施の形態２にかかるＲＮ１００は、図１に示した構成に加えてタイミング通知部１０１０を備えている。タイミング通知部１０１０は、たとえばｅＮＢ２００から定期的に配信されるタイミング情報から、ｅＮＢ２００における受信タイミングを取得する。タイミング通知部１０１０は、ｅＮＢ２００における受信タイミングを中継情報生成部１４０へ通知する。
【００７８】
中継情報生成部１４０は、無線信号がＲＮ１００の中継対象である旨の判断結果が中継判断部１３０から出力されると中継情報を生成し、生成した中継情報をＤＬ＿ＰＨＹ処理部１２０へ出力する。また、中継情報生成部１４０は、無線信号がＲＮ１００の中継対象である旨の判断結果が中継判断部１３０から出力されると、タイミング通知部１０１０によって通知されるタイミングによって中継情報をＤＬ＿ＰＨＹ処理部１２０へ出力する。
【００７９】
ＤＬ＿ＰＨＹ処理部１２０は、中継情報生成部１４０から出力された中継情報をＰＤＣＣＨに配置し、ＰＤＣＣＨに配置した中継情報をＤＬ送信機１７０へ出力する。ＤＬ送信機１７０は、ＤＬ＿ＰＨＹ処理部１２０から出力された中継情報を、ＤＬ送信アンテナ１０３を介してＵＥ３００へ送信する。
【００８０】
実施の形態２にかかるｅＮＢ２００の構成については、図２に示した構成と同様であるため図示を省略する。ただし、ＲＬＣ／ＭＡＣ処理部２１０は、中継情報検出部２６０によって中継情報が検出された場合に、中継情報が示す無線信号の制御情報およびデータを再度、ＤＬ＿ＰＨＹ処理部２２０へ出力する。この場合は、ＡＣＫ／ＮＡＣＫタイミング制御部２７０は、ｅＮＢ２００によって無線信号が再度送信されてから所定時間待機するとともに、待機する所定期間を遅延量情報が示す時間だけ延長する。
【００８１】
図１１は、実施の形態２にかかるＵＥの構成を示すブロック図である。図１１において、図３に示した構成と同様の構成については同一の符号を付して説明を省略する。図１１に示すように、実施の形態２にかかるＵＥ３００は、図３に示した構成に加えて、ＰＤＣＣＨ検出部１１１０と、中継情報検出部１１２０と、を備えている。
【００８２】
ＤＬ＿ＰＨＹ処理部３２０は、受信機３１０から出力された制御情報およびデータをＰＤＣＣＨ検出部１１１０へ出力する。ＰＤＣＣＨ検出部１１１０は、ＤＬ＿ＰＨＹ処理部３２０から出力された制御情報およびデータのうちのＰＤＣＣＨの制御情報を検出する。ＰＤＣＣＨ検出部１１１０は、検出した制御情報を中継情報検出部１１２０へ出力する。
【００８３】
中継情報検出部１１２０は、ＰＤＣＣＨ検出部１１１０から出力された制御情報に含まれる中継情報を検出する。中継情報検出部１１２０は、中継情報を検出すると、検出した中継情報をＲＬＣ／ＭＡＣ処理部３３０へ出力する。ＲＬＣ／ＭＡＣ処理部３３０は、中継情報検出部１１２０から中継情報が出力されると、中継情報が示す無線信号に対応する制御情報およびデータを破棄する。この場合は、ＡＣＫ／ＮＡＣＫ送信部３４０は、中継情報が示す無線信号に対応する送達確認情報を送信しなくてもよい。
【００８４】
（実施の形態２にかかる各装置の動作）
図１２は、実施の形態２にかかるＲＮの動作の一例を示すフローチャートである。図１２に示すステップＳ１２０１〜Ｓ１２０３は、図５に示したステップＳ５０１〜Ｓ５０３と同様であるため説明を省略する。ステップＳ１２０３において、無線信号が中継対象である場合（ステップＳ１２０３：Ｙｅｓ）は、ステップＳ１２０２によって復号された制御情報に中継情報を付加する（ステップＳ１２０４）。
【００８５】
ステップＳ１２０４においては、ＤＬ＿ＰＨＹ処理部１２０によって、中継情報がＰＤＣＣＨに配置される。つぎに、ステップＳ１２０４によって中継情報が付加された制御情報およびステップＳ１２０２によって復号されたデータを符号化する（ステップＳ１２０５）。つぎに、ステップＳ１２０５によって符号化された無線信号をＵＥ３００へ送信する（ステップＳ１２０６）。
【００８６】
つぎに、ｅＮＢ２００における送達確認情報の受信タイミングまで待機する（ステップＳ１２０７）。つぎに、中継情報をｅＮＢ２００へ通知し（ステップＳ１２０８）、一連の動作を終了する。以上のステップを繰り返し行うことで、ＲＮ１００の中継対象の無線信号を受信した場合に、無線信号とともに中継情報をＵＥ３００へ送信することができる。また、ｅＮＢ２００における送達確認情報の受信タイミングにおいて、無線信号を再生中継する旨をｅＮＢ２００に通知することができる。
【００８７】
図１３は、実施の形態２にかかるｅＮＢの動作の一例を示すフローチャートである。図１３に示すステップＳ１３０１〜Ｓ１３０３は、図６に示したステップＳ６０１〜Ｓ６０３と同様であるため説明を省略する。ステップＳ１３０３によって送達確認情報の受信タイミングを変更した後、ｅＮＢ２００は、ステップＳ１３０１によって送信された無線信号を再度送信し（ステップＳ１３０４）、ステップＳ１３０５へ移行する。
【００８８】
ステップＳ１３０４からステップＳ１３０５へ移行した場合は、ステップＳ１３０５において、ステップＳ１３０４によって無線信号が送信されてから所定期間が経過した受信タイミングまで待機する。この場合の受信タイミングは、ステップＳ１３０３によって変更された受信タイミングである。図１３に示すステップＳ１３０６〜Ｓ１３０８は、図６に示したステップＳ６０５〜Ｓ６０７と同様であるため説明を省略する。
【００８９】
以上のステップを、入力されるダウンリンクのデータごとに行うことで、無線信号に対するＮＡＣＫが送信された場合に無線信号を再度送信することができる。また、送信した無線信号がＲＮ１００によって再生中継される場合には、再生中継で遅延する分だけ送達確認情報の受信タイミングを調整するとともに、無線信号を再度送信することができる。これにより、以降のＵＥ３００を宛先とする無線信号に対する送達確認情報については、ＲＮ１００の再生中継による遅延分を調整した受信タイミングで受信することができる。
【００９０】
図１４は、実施の形態２にかかるＵＥの動作の一例を示すフローチャートである。図１４に示すステップＳ１４０１，Ｓ１４０２は、図７に示したステップＳ７０１，Ｓ７０２と同様であるため説明を省略する。ステップＳ１４０２によって無線信号を復号した後、ＵＥ３００は、ステップＳ１４０２によって復号された制御情報から中継情報を検出したか否かを判断する（ステップＳ１４０３）。
【００９１】
ステップＳ１４０３において、中継情報を検出した場合（ステップＳ１４０３：Ｙｅｓ）は、ステップＳ１４０１によって受信された無線信号を破棄し（ステップＳ１４０４）、一連の動作を終了する。中継情報を検出していない場合（ステップＳ１４０３：Ｎｏ）は、ステップＳ１４０５へ移行する。図１４に示すステップＳ１４０５〜Ｓ１４０７は、図７に示したステップＳ７０３〜Ｓ７０５と同様であるため説明を省略する。
【００９２】
以上のステップを繰り返し行うことで、ｅＮＢ２００から送信された無線信号を正常に復号できた場合はｅＮＢ２００へＡＣＫを送信し、ｅＮＢ２００から送信された無線信号を正常に復号できなかった場合はｅＮＢ２００へＮＡＣＫを送信することができる。また、ＲＮ１００からの中継情報を受信した場合は、無線信号を破棄するとともに、送達確認情報を送信せずに無線信号が再度送信されるのを待つ。
【００９３】
図１５は、実施の形態２にかかる通信システムの動作の一例を示すシーケンス図である。図１５に示すステップＳ１５０１，Ｓ１５０２は、図８に示したステップＳ８０１，Ｓ８０２と同様であるため説明を省略する。ステップＳ１５０２において、無線信号が中継対象であると判断された後に、ＲＮ１００が、ステップＳ１５０１によって受信された無線信号のＰＤＣＣＨに中継情報を付加する（ステップＳ１５０３）。
【００９４】
つぎに、ＲＮ１００が、ステップＳ１５０３によって中継情報が付加された無線信号をＵＥ３００へ送信する（ステップＳ１５０４）。つぎに、ＵＥ３００が、ステップＳ１５０４によって送信された無線信号のＰＤＳＣＨを破棄する（ステップＳ１５０５）。つぎに、ＲＮ１００が、ステップＳ１５０７による変更前の受信タイミングであるタイミングｔ２において、ステップＳ１５０１によって送信された無線信号を再生中継することを示す中継情報をｅＮＢ２００へ通知する（ステップＳ１５０６）。
【００９５】
つぎに、ｅＮＢ２００が、ステップＳ１５０６によって通知された中継情報に基づいて、無線信号に対する送達確認情報の受信タイミングを変更する（ステップＳ１５０７）。つぎに、ｅＮＢ２００が、ステップＳ１５０１によって送信された無線信号を再度送信する（ステップＳ１５０８）。つぎに、ＲＮ１００が、ステップＳ１５０８によって送信された無線信号を再生中継する（ステップＳ１５０９）。
【００９６】
つぎに、ＵＥ３００が、ステップＳ１５０９によって送信された無線信号に対する送達確認情報を、ＲＮ１００の中継によってｅＮＢ２００へ送信し（ステップＳ１５１０）、一連の動作を終了する。なお、図１５に示す動作においては、無線信号が再度、ＵＥ３００へ送信されるため、ステップＳ１５０４においてはＰＤＣＣＨを送信し、ＰＤＳＣＨは送信しないようにしてもよい。この場合は、ステップＳ１５０５を省くことができる。
【００９７】
ｅＮＢ２００は、ステップＳ１５０７の前においては、タイミングｔ１から所定期間Ｔ１が経過したタイミングｔ２を送達確認情報の受信タイミングとして設定している。また、ｅＮＢ２００は、ステップＳ１５０７において、送達確認情報の受信タイミングを、無線信号を再度送信するタイミングｔ３から所定期間Ｔ２が経過したタイミングｔ４に変更する。所定期間Ｔ２は、たとえば、所定期間Ｔ１と、ＲＮ１００の再生中継によって無線信号が遅延する時間と、を合わせた期間である。
【００９８】
これにより、ｅＮＢ２００は、送達確認情報の受信タイミングを、ステップＳ１５１０によって送達確認情報が送信されるタイミングにほぼ一致させることができる。以上のステップを、ｅＮＢ２００から送信する無線信号ごとに行うことで、ｅＮＢ２００における送達確認情報の受信タイミングを、ＲＮ１００の再生中継による無線信号の遅延分だけ調整することができる。
【００９９】
このように、実施の形態２にかかるｅＮＢ２００は、中継情報を受信した場合に中継情報が示す無線信号を再度送信するとともに、無線信号を再度送信してから所定期間が経過した受信タイミングで無線信号に対する送達確認情報を受信する。これにより、実施の形態１と同様の効果を得ることができる。
【０１００】
なお、実施の形態２においては、ＲＮ１００がｅＮＢ２００へ中継情報を送信する構成について説明したが、ＲＮ１００はｅＮＢ２００へ送達確認情報とともに中継情報を送信する構成としてもよい。たとえば、ＲＮ１００は、送達確認情報としてＮＡＣＫをｅＮＢ２００へ送信するとともに、送信するＮＡＣＫに中継情報を格納する。これにより、制御チャネルを新たに追加しなくても中継情報を送信することができる。
【０１０１】
（実施の形態３）
（実施の形態３にかかる各装置の構成）
図１６は、実施の形態３にかかるＲＮの構成を示すブロック図である。図１６において、図１０に示した構成と同様の構成については同一の符号を付して説明を省略する。図１６に示すように、実施の形態３にかかるＲＮ１００の中継情報生成部１４０は、生成した中継情報をＵＬ＿ＰＨＹ処理部１５０へ出力しなくてもよい。実施の形態３にかかるｅＮＢ２００の構成については、図２に示した構成と同様であるため図示を省略する。
【０１０２】
図１７は、実施の形態３にかかるＵＥの構成を示すブロック図である。図１７において、図１１に示した構成と同様の構成については同一の符号を付して説明を省略する。図１７に示すように、実施の形態３にかかるＵＥ３００は、図１１に示した構成に加えてタイミング通知部１７１０を備えている。
【０１０３】
タイミング通知部１７１０は、たとえばｅＮＢ２００から定期的に配信されるタイミング情報から、ｅＮＢ２００における受信タイミングを取得する。タイミング通知部１７１０は、ｅＮＢ２００における受信タイミングを中継情報検出部１１２０へ通知する。中継情報検出部１１２０は、中継情報を検出すると、タイミング通知部１７１０によって通知されるタイミングによって中継情報をＵＬ＿ＰＨＹ処理部３５０へ出力する。
【０１０４】
ＵＬ＿ＰＨＹ処理部３５０は、中継情報検出部１１２０から出力された中継情報をＰＵＣＣＨに配置し、ＰＵＣＣＨに配置した中継情報を送信機３６０へ出力する。送信機３６０は、ＵＬ＿ＰＨＹ処理部３５０から出力された中継情報を、送信アンテナ３０２を介して送信する。送信機３６０によって送信された中継情報は、ＲＮ１００によって中継されてｅＮＢ２００によって受信される。
【０１０５】
（実施の形態３にかかる各装置の動作）
図１８は、実施の形態３にかかるＲＮの動作の一例を示すフローチャートである。図１８に示すステップＳ１８０１〜Ｓ１８０６は、図１２に示したステップＳ１２０１〜Ｓ１２０６と同様であるため説明を省略する。図１８に示すように、実施の形態３においては、図１２に示したステップＳ１２０７，Ｓ１２０８を省いてもよい。以上のステップを繰り返し行うことで、ＲＮ１００の中継対象の無線信号を受信した場合に、無線信号とともに中継情報をＵＥ３００へ送信することができる。実施の形態３にかかるｅＮＢ２００の動作については、図１３に示した動作と同一であるため図示を省略する。
【０１０６】
図１９は、実施の形態３にかかるＵＥの動作の一例を示すフローチャートである。図１９に示すステップＳ１９０１〜Ｓ１９０４は、図１４に示したステップＳ１４０１〜Ｓ１４０４と同様であるため説明を省略する。ステップＳ１９０４によって無線信号を破棄した後に、ＵＥ３００は、ｅＮＢ２００における送達確認情報の受信タイミングまで待機する（ステップＳ１９０５）。
【０１０７】
つぎに、ステップＳ１９０３によって検出された中継情報をｅＮＢ２００へ送信する（ステップＳ１９０６）。ステップＳ１９０６によって送信された中継情報は、ＲＮ１００によって中継されてｅＮＢ２００によって受信される。図１９に示すステップＳ１９０７〜Ｓ１９０９は、図１４に示したステップＳ１４０５〜Ｓ１４０７と同様であるため説明を省略する。
【０１０８】
以上のステップを繰り返し行うことで、ｅＮＢ２００から送信された無線信号を正常に復号できた場合はｅＮＢ２００へＡＣＫを送信し、ｅＮＢ２００から送信された無線信号を正常に復号できなかった場合はｅＮＢ２００へＮＡＣＫを送信することができる。また、ＲＮ１００からの中継情報を受信した場合は、無線信号を破棄するとともに、中継情報をｅＮＢ２００へ送信することができる。
【０１０９】
図２０は、実施の形態３にかかる通信システムの動作の一例を示すシーケンス図である。図２０に示すステップＳ２００１〜Ｓ２００４は、図１５に示したステップＳ１５０１〜Ｓ１５０４と同様であるため説明を省略する。ステップＳ２００４の後に、ＵＥ３００が、ステップＳ２００７による変更前の受信タイミングであるタイミングｔ２において、中継情報をｅＮＢ２００へ送信する（ステップＳ２００５）。
【０１１０】
つぎに、ＵＥ３００が、ステップＳ２００４によって送信された無線信号のＰＤＳＣＨを破棄する（ステップＳ２００６）。つぎに、ｅＮＢ２００が、ステップＳ２００５によって送信された中継情報に基づいて、無線信号に対する送達確認情報の受信タイミングを変更する（ステップＳ２００７）。図２０に示すステップＳ２００８〜Ｓ２０１０は、図１５に示したステップＳ１５０８〜Ｓ１５１０と同様であるため説明を省略する。
【０１１１】
なお、図２０に示す動作においては、無線信号が再度、ＵＥ３００へ送信されるため、ステップＳ２００４においてはＰＤＣＣＨを送信し、ＰＤＳＣＨは送信しないようにしてもよい。この場合は、ステップＳ２００６を省くことができる。
【０１１２】
ｅＮＢ２００は、ステップＳ２００７の前においては、タイミングｔ１から所定期間Ｔ１が経過したタイミングｔ２を送達確認情報の受信タイミングとして設定している。また、ｅＮＢ２００は、ステップＳ２００７において、送達確認情報の受信タイミングを、無線信号を再度送信するタイミングｔ３から所定期間Ｔ２が経過したタイミングｔ４に変更する。所定期間Ｔ２は、たとえば、所定期間Ｔ１と、ＲＮ１００の再生中継によって無線信号が遅延する時間と、を合わせた期間である。
【０１１３】
これにより、ｅＮＢ２００は、送達確認情報の受信タイミングを、ステップＳ２０１０によって送達確認情報が送信されるタイミングにほぼ一致させることができる。以上のステップを、ｅＮＢ２００から送信する無線信号ごとに行うことで、ｅＮＢ２００における送達確認情報の受信タイミングを、ＲＮ１００の再生中継による無線信号の遅延分だけ調整することができる。
【０１１４】
このように、実施の形態３にかかるｅＮＢ２００は、中継情報を受信した場合に中継情報が示す無線信号を再度送信するとともに、無線信号を再度送信してから所定期間が経過した受信タイミングで無線信号に対する送達確認情報を受信する。これにより、実施の形態１と同様の効果を得ることができる。
【０１１５】
なお、実施の形態３においては、ＵＥ３００がｅＮＢ２００へ中継情報を送信する構成について説明したが、ＵＥ３００はｅＮＢ２００へ送達確認情報とともに中継情報を送信する構成としてもよい。たとえば、ＵＥ３００は、送達確認情報としてＮＡＣＫをｅＮＢ２００へ送信するとともに、送信するＮＡＣＫに中継情報を格納する。これにより、制御チャネルを新たに追加しなくても中継情報を送信することができる。
【０１１６】
（実施の形態４）
（実施の形態４にかかる各装置の構成）
実施の形態４にかかるＲＮ１００の構成については、図１に示した構成と同様であるため図示を省略する。ただし、中継情報生成部１４０は、ＲＮ１００による再生中継により無線信号が遅延する時間を示す遅延量情報を含む中継情報を生成する。たとえば、ＲＮ１００のメモリには、ＲＮ１００による再生中継により無線信号が遅延する時間を示す遅延量情報が記憶されている。そして、中継情報生成部１４０は、ＲＮ１００のメモリに記憶された遅延量情報を含む中継情報を生成する。
【０１１７】
または、ＲＮ１００のメモリには、ＰＤＳＣＨのデータのサイズと、ＲＮ１００による再生中継により無線信号が遅延する時間と、を対応付けた遅延量情報が記憶されていてもよい。この場合は、中継情報生成部１４０は、ＲＮ１００のメモリに記憶された遅延量情報において、受信した無線信号のＰＤＣＣＨの制御情報が示すＰＤＳＣＨのデータのサイズと対応付けられている時間を示す遅延量情報を含む中継情報を生成する。
【０１１８】
実施の形態４にかかるｅＮＢ２００の構成については、図２に示した構成と同様であるため図示を省略する。ただし、ＡＣＫ／ＮＡＣＫタイミング制御部２７０は、中継情報が示す無線信号に対する送達確認情報の受信タイミングを、中継情報に含まれる遅延量情報が示す時間だけ遅らせる。実施の形態４にかかるＵＥ３００の構成については、図３に示した構成と同様であるため図示を省略する。
【０１１９】
（実施の形態４にかかる各装置の動作）
実施の形態４にかかるＲＮ１００の動作については、図５に示した動作と同様であるため図示を省略する。ただし、ステップＳ５０４においては、ＲＮ１００は、遅延量情報を含む中継情報をｅＮＢ２００へ通知する。実施の形態４にかかるｅＮＢ２００の動作については、図６に示した動作と同一であるため図示を省略する。ただし、ステップＳ６０３においては、ステップＳ６０１によって送信された無線信号に対する送達確認情報の受信タイミングを、中継情報に含まれる遅延量情報に基づいて変更する。実施の形態４にかかるＵＥ３００の動作については、図７に示した動作と同様であるため図示を省略する。
【０１２０】
図２１は、実施の形態４にかかる通信システムの動作の一例を示すシーケンス図である。図２１に示すステップＳ２１０１，Ｓ２１０２は、図８に示したステップＳ８０１，Ｓ８０２と同様であるため説明を省略する。ステップＳ２１０２によって無線信号が中継対象であると判断された後に、ＲＮ１００が、ステップＳ２１０１によって送信された無線信号を再生中継することを示す中継情報をｅＮＢ２００へ通知する（ステップＳ２１０３）。ステップＳ２１０３によって送信される中継情報には、ＲＮ１００による再生中継により無線信号が遅延する時間を示す遅延量情報が含まれている。
【０１２１】
また、ＲＮ１００が、ステップＳ２１０１によって送信された無線信号をＵＥ３００へ送信する（ステップＳ２１０４）。つぎに、ｅＮＢ２００が、ステップＳ２１０４によって通知された中継情報に基づいて、ステップＳ２１０１によって送信された無線信号に対する送達確認情報の受信タイミングを変更する（ステップＳ２１０５）。
【０１２２】
ステップＳ２１０５においては、ｅＮＢ２００は、通知された中継情報に含まれている遅延量情報が示す時間だけ、待機する所定期間を延長する。具体的には、ｅＮＢ２００は、送達確認情報の受信タイミングを、タイミングｔ１から所定期間Ｔ２が経過したタイミングｔ３に変更する。つぎに、ＵＥ３００が、ステップＳ２１０４によって送信された無線信号に対する送達確認情報を、ＲＮ１００の中継によってｅＮＢ２００へ送信し（ステップＳ２１０６）、一連の動作を終了する。
【０１２３】
ｅＮＢ２００は、ステップＳ２１０５の前においては、タイミングｔ１から所定期間Ｔ１が経過したタイミングｔ２を送達確認情報の受信タイミングとして設定している。また、ｅＮＢ２００は、ステップＳ２１０５において、送達確認情報の受信タイミングを、タイミングｔ１から所定期間Ｔ２が経過したタイミングｔ３に変更する。
【０１２４】
これにより、ｅＮＢ２００は、送達確認情報の受信タイミングを、ステップＳ２１０６によって送達確認情報が送信されるタイミングにほぼ一致させることができる。以上のステップを、ｅＮＢ２００から送信する無線信号ごとに行うことで、ｅＮＢ２００における送達確認情報の受信タイミングを、ＲＮ１００の再生中継による無線信号の遅延分だけ調整することができる。
【０１２５】
このように、実施の形態４にかかるＲＮ１００は、ＲＮ１００の再生中継によって無線信号が遅延する時間を示す遅延量情報を含む中継情報を通知する。これにより、ｅＮＢ２００側で、送達確認情報の受信タイミングを、ＲＮ１００の再生中継による無線信号の遅延分だけ精度よく調整することが可能になる。また、ｅＮＢ２００は、ＲＮ１００によって通知された中継情報に含まれる遅延量情報が示す時間だけ、送達確認情報の受信タイミングを遅延させることで、送達確認情報を精度よく受信することができる。
【０１２６】
このため、実施の形態４によれば、実施の形態１と同様の効果を得るとともに、再送制御をさらに安定させることができる。特に、無線信号を再生中継する各ＲＮ（たとえばＲＮ１００）における無線信号の遅延時間が異なる場合は、ＲＮ側から遅延量情報をｅＮＢ２００へ通知することにより、ｅＮＢ２００側で送達確認情報の受信タイミングを精度よく調整することが可能になる。
【０１２７】
（実施の形態５）
（実施の形態５にかかる各装置の構成）
図２２は、実施の形態５にかかるＲＮの構成を示すブロック図である。図２２において、図１に示した構成と同様の構成については同一の符号を付して説明を省略する。図２２に示すように、実施の形態５にかかるＲＮ１００は、図１に示した構成に加えて復号判定部２２１０を備えている。
【０１２８】
ＤＬ＿ＰＨＹ処理部１２０は、ＤＬ受信機１１０から出力された制御情報およびデータを復号判定部２２１０へ出力する。復号判定部２２１０は、ＤＬ＿ＰＨＹ処理部１２０から出力された制御情報およびデータに基づいて、ＲＮ１００によって受信された無線信号が正常に復号されたか否かを判断し、判断結果をＤＬ送信機１７０へ出力する。
【０１２９】
たとえば、復号判定部２２１０は、制御情報およびデータの誤り検出を行い、誤りがない場合は無線信号が正常に復号できたと判断し、誤りがある場合は無線信号が正常に復号できなかったと判断する。または、復号判定部２２１０は、制御情報およびデータの誤り訂正を行い、誤りが訂正できた場合は無線信号が正常に復号できたと判断し、誤りが訂正できなかった場合は無線信号が正常に復号できなかったと判断する。
【０１３０】
ＤＬ送信機１７０は、中継対象である旨の判断結果が中継判断部１３０から出力され、さらに無線信号が正常に復号された旨の判定結果が復号判定部２２１０から出力されると、制御情報およびデータを符号化して送信する。これにより、ｅＮＢ２００から送信された無線信号のデータおよび制御情報がＵＥ３００へ再生中継される。
【０１３１】
また、ＤＬ送信機１７０は、中継対象である旨の判断結果が中継判断部１３０から出力され、さらに無線信号が正常に復号されなかった旨の判定結果が復号判定部２２１０から出力されると、制御情報およびデータのうちの制御情報のみを符号化して送信する。これにより、ｅＮＢ２００から送信された無線信号のデータは再生中継されず、制御情報がＵＥ３００へ再生中継される。実施の形態５にかかるｅＮＢ２００の構成については、図２に示した構成と同様であるため図示を省略する。実施の形態５にかかるＵＥ３００の構成については、図３に示した構成と同様であるため図示を省略する。
【０１３２】
（実施の形態５にかかる各装置の動作）
図２３は、実施の形態５にかかるＲＮの動作の一例を示すフローチャートである。図２３に示すステップＳ２３０１〜Ｓ２３０４は、図５に示したステップＳ５０１〜Ｓ５０４と同様であるため説明を省略する。ステップＳ２３０４の後、ステップＳ２３０２によって無線信号が正常に復号されたか否かを判定する（ステップＳ２３０５）。
【０１３３】
ステップＳ２３０５において、無線信号が正常に復号されたと判断した場合（ステップＳ２３０５：Ｙｅｓ）は、ステップＳ２３０２によって復号された制御情報およびデータを符号化する（ステップＳ２３０６）。無線信号が正常に復号されなかったと判断した場合（ステップＳ２３０５：Ｎｏ）は、ステップＳ２３０２によって復号された制御情報およびデータのうちの制御情報を符号化する（ステップＳ２３０７）。
【０１３４】
つぎに、ステップＳ２３０６またはステップＳ２３０７によって符号化された無線信号をＵＥ３００へ送信し（ステップＳ２３０８）、一連の動作を終了する。以上のステップを繰り返し行うことで、ＲＮ１００の中継対象の無線信号を受信した場合に、無線信号を再生中継する旨をｅＮＢ２００に通知するとともに、無線信号を再生中継することができる。また、ＲＮ１００において無線信号が正常に復号されなかった場合に無線信号を再生中継しないようにすることができる。ただし、この場合は、ＵＥ３００へ制御情報を再生中継することで、ＵＥ３００からｅＮＢ２００へＮＡＣＫを送信させることができる。
【０１３５】
実施の形態５にかかるｅＮＢ２００の動作については、図６に示した動作と同一であるため図示を省略する。実施の形態５にかかるＵＥ３００の動作については、図７に示した動作と同一であるため図示を省略する。ただし、ＵＥ３００は、ＲＮ１００からデータが再生中継されずに制御情報が再生中継された場合は、制御情報が示す無線信号に対するＮＡＣＫをｅＮＢ２００へ送信する。
【０１３６】
図２４は、実施の形態５にかかる通信システムの動作の一例を示すシーケンス図である。まず、ｅＮＢ２００が、タイミングｔ１において、ＵＥ３００を宛先とするダウンリンクの無線信号を送信する（ステップＳ２４０１）。ステップＳ２４０１によって送信される無線信号には、ＰＤＣＣＨの制御情報とＰＤＳＣＨのデータが含まれている。ステップＳ２４０１によって送信された無線信号はＲＮ１００によって受信される。
【０１３７】
つぎに、ＲＮ１００が、ステップＳ２４０１によって送信された無線信号がＲＮ１００の中継対象か否かと、ステップＳ２４０１によって送信された無線信号が正常に復号されたか否か（復号判定）と、を判断する（ステップＳ２４０２）。ここでは、無線信号が中継対象であり、無線信号が正常に復号されたと判断されたとする。つぎに、ステップＳ２４０３へ移行する。
【０１３８】
図２４に示すステップＳ２４０３〜Ｓ２４０６は、図８に示したステップＳ８０３〜Ｓ８０６と同様であるため説明を省略する。以上のステップを、ｅＮＢ２００から送信する無線信号ごとに行うことで、ｅＮＢ２００における送達確認情報の受信タイミングを、ＲＮ１００の再生中継による無線信号の遅延分だけ調整することができる。
【０１３９】
このように、実施の形態５にかかるＲＮ１００は、復号された無線信号の復号判定を行い、無線信号が正常に復号されたと判定された場合に、無線信号をＵＥ３００へ再生中継する。これにより、実施の形態１と同様の効果を得るとともに、ＲＮ１００によって受信された時点で無線信号が正常に復号できない場合は、ＵＥ３００へ無線信号を再生中継しないことによって通信リソースの利用効率を向上させることができる。
【０１４０】
（実施の形態６）
（実施の形態６にかかる各装置の構成）
図２５は、実施の形態６にかかるＲＮの構成を示すブロック図である。図２５において、図１に示した構成と同様の構成については同一の符号を付して説明を省略する。図２５に示すように、実施の形態６にかかるＲＮ１００は、図１に示した構成に加えて品質判定部２５１０を備えている。ＤＬ＿ＰＨＹ処理部１２０は、ＤＬ受信機１１０から出力された制御情報およびデータを品質判定部２５１０へ出力する。
【０１４１】
品質判定部２５１０は、ＤＬ＿ＰＨＹ処理部１２０から出力された制御情報およびデータの品質を測定し、測定した品質が閾値以上であるか否かを判定する。品質判定部２５１０は、判定結果をＤＬ送信機１７０へ出力する。品質判定部２５１０が測定する品質は、たとえばＳＩＲ（Ｓｉｇｎａｌ  ｔｏ  Ｉｎｔｅｒｆｅｒｅｎｃｅ  ｐｏｗｅｒ  Ｒａｔｉｏ：受信信号電力対干渉電力比）である。
【０１４２】
ＤＬ送信機１７０は、無線信号が中継対象である旨の判断結果が中継判断部１３０から出力され、さらに品質が閾値以上である旨の判定結果が品質判定部２５１０から出力されると、ＤＬ＿ＰＨＹ処理部１２０から出力された制御情報およびデータを符号化する。そして、ＤＬ送信機１７０は、符号化した制御情報およびデータを、ＤＬ送信アンテナ１０３を介して送信する。これにより、ｅＮＢ２００から送信された無線信号のデータおよび制御情報がＵＥ３００へ再生中継される。
【０１４３】
また、ＤＬ送信機１７０は、中継対象である旨の判断結果が中継判断部１３０から出力され、さらに品質が閾値未満である旨の判定結果が品質判定部２５１０から出力されると、制御情報およびデータのうちの制御情報のみを符号化して送信する。これにより、ｅＮＢ２００から送信された無線信号のデータは再生中継されず、制御情報がＵＥ３００へ再生中継される。実施の形態６にかかるｅＮＢ２００の構成については、図２に示した構成と同様であるため図示を省略する。実施の形態６にかかるＵＥ３００の構成については、図３に示した構成と同様であるため図示を省略する。
【０１４４】
（実施の形態６にかかる各装置の動作）
図２６は、実施の形態６にかかるＲＮの動作の一例を示すフローチャートである。図２６に示すステップＳ２６０１〜Ｓ２６０４は、図５に示したステップＳ５０１〜Ｓ５０４と同様であるため説明を省略する。ステップＳ２６０４の後に、ＲＮ１００は、ステップＳ２６０２によって復号された制御情報およびデータのＳＩＲが閾値以上か否かを判定する（ステップＳ２６０５）。
【０１４５】
ステップＳ２６０５において、制御情報およびデータのＳＩＲが閾値以上である場合（ステップＳ２６０５：Ｙｅｓ）は、ステップＳ２６０２によって復号された制御情報およびデータを符号化する（ステップＳ２６０６）。制御情報およびデータのＳＩＲが閾値未満である場合（ステップＳ２６０５：Ｎｏ）は、ステップＳ２６０２によって復号された制御情報およびデータのうちの制御情報を符号化する（ステップＳ２６０７）。
【０１４６】
つぎに、ステップＳ２６０６またはステップＳ２６０７によって符号化された無線信号をＵＥ３００へ送信し（ステップＳ２６０８）、一連の動作を終了する。以上のステップを繰り返し行うことで、ＲＮ１００の中継対象の無線信号を受信した場合に、無線信号を再生中継する旨をｅＮＢ２００に通知するとともに、無線信号を再生中継することができる。また、無線信号のＳＩＲが閾値未満である場合は無線信号を再生中継しないようにすることができる。ただし、この場合は、ＵＥ３００へ制御情報を再生中継することで、ＵＥ３００からｅＮＢ２００へＮＡＣＫを送信させることができる。
【０１４７】
実施の形態６にかかるｅＮＢ２００の動作については、図６に示した動作と同一であるため図示を省略する。実施の形態６にかかるＵＥ３００の動作については、図７に示した動作と同一であるため図示を省略する。ただし、ＵＥ３００は、ＲＮ１００からデータが再生中継されずに制御情報が再生中継された場合は、制御情報が示す無線信号に対するＮＡＣＫをｅＮＢ２００へ送信する。
【０１４８】
図２７は、実施の形態６にかかる通信システムの動作の一例を示すシーケンス図である。まず、ｅＮＢ２００が、タイミングｔ１において、ＵＥ３００を宛先とするダウンリンクの無線信号を送信する（ステップＳ２７０１）。ステップＳ２７０１によって送信される無線信号には、ＰＤＣＣＨの制御情報とＰＤＳＣＨのデータが含まれている。ステップＳ２７０１によって送信された無線信号はＲＮ１００によって受信される。
【０１４９】
つぎに、ＲＮ１００が、ステップＳ２７０１によって送信された無線信号がＲＮ１００の中継対象か否かと、ステップＳ２７０１によって送信された無線信号のＳＩＲが閾値以上であるか否かと、を判断する（ステップＳ２７０２）。ここでは、無線信号が中継対象であり、無線信号のＳＩＲが閾値以上であると判断されたとする。つぎに、ステップＳ２７０３へ移行する。図２７に示すステップＳ２７０３〜Ｓ２７０６は、図８に示したステップＳ８０３〜Ｓ８０６と同様であるため説明を省略する。
【０１５０】
このように、実施の形態６にかかるＲＮ１００は、復号された無線信号の通信品質を測定し、測定した通信品質が閾値以上であると判定された場合に、無線信号をＵＥ３００へ再生中継する。これにより、実施の形態１と同様の効果を得るとともに、ＲＮ１００によって受信された時点で無線信号が劣化している場合は、ＵＥ３００へ無線信号を再生中継しないことによって通信リソースの利用効率を向上させることができる。
【０１５１】
（実施の形態７）
（実施の形態７にかかる各装置の構成）
実施の形態７にかかるＲＮ１００の構成については、図１６に示した構成と同様であるため図示を省略する。実施の形態７にかかるｅＮＢ２００の構成については、図２に示した構成と同様であるため図示を省略する。
【０１５２】
図２８は、実施の形態７にかかるＵＥの構成を示すブロック図である。図２８において、図１７に示した構成と同様の構成については同一の符号を付して説明を省略する。図２８に示すように、実施の形態７にかかるＵＥ３００は、図１７に示した構成に加えて、送信可否判定部２８１０を備えている。中継情報検出部１１２０は、中継情報を検出すると、検出した中継情報を送信可否判定部２８１０へ出力する。
【０１５３】
また、中継情報検出部１１２０は、送達確認情報を送信可能でない旨の判定結果が送信可否判定部２８１０から出力されると、検出した中継情報を、タイミング通知部１７１０によって通知されたタイミングでＵＬ＿ＰＨＹ処理部３５０へ出力する。また、中継情報検出部１１２０は、送達確認情報を送信可能である旨の判定結果が送信可否判定部２８１０から出力されると、検出した中継情報をＵＬ＿ＰＨＹ処理部３５０へ出力しない。
【０１５４】
送信可否判定部２８１０は、中継情報検出部１１２０から中継情報が出力されると、中継情報が示す無線信号に対する送達確認情報をｅＮＢ２００における受信タイミングまでに送信可能か否かを判定する。たとえば、ＵＥ３００のメモリには、ＲＮ１００による再生中継により無線信号が遅延する時間を示す遅延量情報が記憶されている。
【０１５５】
そして、送信可否判定部２８１０は、遅延量情報が示す時間が閾値未満である場合は送達確認情報を送信可能であると判定し、遅延量情報が示す時間が閾値以上である場合は送達確認情報を送信可能でないと判定する。送信可否判定部２８１０は、判定結果を中継情報検出部１１２０およびＲＬＣ／ＭＡＣ処理部３３０へ出力する。
【０１５６】
ＲＬＣ／ＭＡＣ処理部３３０は、受信タイミングまでに送達確認情報を送信可能でない旨の判定結果が送信可否判定部２８１０から出力されると、ＤＬ＿ＰＨＹ処理部３２０から出力された制御情報およびデータを破棄する。また、ＲＬＣ／ＭＡＣ処理部３３０は、受信タイミングまでに送達確認情報を送信可能である旨の判定結果が送信可否判定部２８１０から出力されると、ＤＬ＿ＰＨＹ処理部３２０から出力された制御情報およびデータのレイヤ２の処理を行う。そして、ＲＬＣ／ＭＡＣ処理部３３０は、制御情報およびデータの誤り判定の判定結果をＡＣＫ／ＮＡＣＫ送信部３４０へ出力する。
【０１５７】
（実施の形態７にかかる各装置の動作）
実施の形態７にかかるＲＮ１００の動作については、図１８に示した動作と同様であるため図示を省略する。実施の形態７にかかるｅＮＢ２００の動作については、図６に示した動作と同一であるため図示を省略する。
【０１５８】
図２９は、実施の形態７にかかるＵＥの動作を示すフローチャートである。図２９に示すステップＳ２９０１〜Ｓ２９０３は、図１９に示したステップＳ１９０１〜Ｓ１９０３と同様であるため説明を省略する。ステップＳ２９０３において、中継情報を検出した場合（ステップＳ２９０３：Ｙｅｓ）は、ＵＥ３００は、ステップＳ２９０２によって復号された無線信号に対する送達確認情報を、ｅＮＢ２００における受信タイミングまでに送信可能か否かを判定する（ステップＳ２９０４）。
【０１５９】
ステップＳ２９０４において、ｅＮＢ２００における受信タイミングまでに送信可能である場合（ステップＳ２９０４：Ｙｅｓ）は、ステップＳ２９０８へ移行する。ｅＮＢ２００における受信タイミングまでに送信可能でない場合（ステップＳ２９０４：Ｎｏ）は、ステップＳ２９０５へ移行する。図２９に示すステップＳ２９０５〜Ｓ２９１０は、図１９に示したステップＳ１９０４〜Ｓ１９０９と同様であるため説明を省略する。
【０１６０】
以上のステップを繰り返し行うことで、ｅＮＢ２００から送信された無線信号を正常に復号できた場合はｅＮＢ２００へＡＣＫを送信し、ｅＮＢ２００から送信された無線信号を正常に復号できなかった場合はｅＮＢ２００へＮＡＣＫを送信することができる。また、ＲＮ１００からの中継情報を受信し、送達確認情報をｅＮＢ２００における受信タイミングまでに送信できる場合は、送達確認情報をｅＮＢ２００へ送信することができる。
【０１６１】
また、ＲＮ１００からの中継情報を受信し、送達確認情報をｅＮＢ２００における受信タイミングまでに送信できない場合は、無線信号を破棄するとともに、中継情報をｅＮＢ２００へ送信することができる。これにより、たとえばＲＮ１００による再生中継が高速であったり、伝搬環境が良好で高速に無線信号を受信できたりする場合は、ｅＮＢ２００における送達確認情報の受信タイミングを調整しなくても再送制御を行うことができる。
【０１６２】
このため、再送制御を高速に行うことができる。また、この場合は、ＵＥ３００が中継情報を受信した場合であってもｅＮＢ２００によって無線信号を再度送信させなくてもよいため、再送制御をさらに高速に行うことができる。
【０１６３】
図３０は、実施の形態７にかかる通信システムの動作の一例を示すシーケンス図である。図３０に示すステップＳ３００１〜Ｓ３００４は、図２０に示したステップＳ２００１〜Ｓ２００４と同様であるため説明を省略する。ステップＳ３００４の後に、ＵＥ３００が、ステップＳ３００４によって送信された無線信号に対する送達確認情報を、ｅＮＢ２００における受信タイミングまでに送信可能か否かを判定する（ステップＳ３００５）。
【０１６４】
ステップＳ３００５における受信タイミングはタイミングｔ２である。ここでは、送達確認情報をタイミングｔ２までに送信可能でないと判定されたとする。図３０に示すステップＳ３００７〜Ｓ３０１１は、図２０に示したステップＳ２００６〜Ｓ２０１０と同様であるため説明を省略する。以上のステップを、ｅＮＢ２００から送信する無線信号ごとに行うことで、ｅＮＢ２００における送達確認情報の受信タイミングを、ＲＮ１００の再生中継による無線信号の遅延分だけ調整することができる。
【０１６５】
このように、実施の形態７にかかるＵＥ３００は、送達確認情報をｅＮＢ２００における受信タイミングで送信できるか否かを判定し、受信タイミングで送信できないと判定した場合に中継情報をｅＮＢ２００へ通知する。これにより、実施の形態３と同様の効果を奏するとともに、再送制御を高速に行うことができる。
【０１６６】
以上説明したように、中継装置、送信装置、通信システムおよび通信方法によれば、送信装置（ｅＮＢ）が送信した無線信号が中継装置（ＲＮ）によって再生中継されることが送信装置（ｅＮＢ）へ通知される。これにより、送信装置側で、送達確認情報の受信タイミングを、中継装置の再生中継による無線信号の遅延分だけ調整することが可能になる。このため、再送制御を安定させることができる。
【０１６７】
なお、以上の各実施の形態においては、この中継装置、送信装置、通信システムおよび通信方法を、ｅＮＢからＵＥへ信号を送信する構成に適用する場合について説明した。ただし、この中継装置、送信装置、通信システムおよび通信方法は、ＵＥからｅＮＢへ信号を送信する構成にも適用可能である。
【０１６８】
たとえば、上述した各実施の形態において説明したｅＮＢ２００の構成をＵＥに設け、ＵＥ３００の構成をｅＮＢに設けることで、ＵＥからｅＮＢへ信号を送信する構成においても上述した各実施の形態の効果を奏する。一例として、実施の形態１をＵＥからｅＮＢへ信号を送信する構成に適用する場合について、実施の形態８として説明する。
【０１６９】
（実施の形態８）
（実施の形態８にかかる各装置の構成）
図３１は、実施の形態８にかかるＲＮの構成を示すブロック図である。実施の形態８にかかるＲＮは、ＵＥ（図３２参照）とｅＮＢ（図３３参照）とを含む通信システムにおいて、ＵＥがｅＮＢへ送信する無線信号を再生中継する中継装置である。ＵＥは、ｅＮＢへ無線信号を送信してから所定期間後に、無線信号に対する送達確認情報をｅＮＢから受信する。
【０１７０】
図３１に示すように、実施の形態８にかるＲＮ３１００は、ＵＬ受信アンテナ３１０１と、ＤＬ送信アンテナ３１０２と、ＵＬ送信アンテナ３１０３と、ＤＬ受信アンテナ３１０４と、ＵＬ受信機３１１０と、ＵＬ＿ＰＨＹ処理部３１２０と、中継判断部３１３０と、中継情報生成部３１４０と、ＤＬ＿ＰＨＹ処理部３１５０と、ＤＬ送信機３１６０と、ＵＬ送信機３１７０と、ＤＬ受信機３１８０と、を備えている。ＵＬ＿ＰＨＹ処理部３１２０、中継判断部３１３０およびＤＬ＿ＰＨＹ処理部３１５０は、たとえばＣＰＵなどの演算手段によって実現される。
【０１７１】
ＵＬ受信機３１１０は、ＵＥから送信されたアップリンクの無線信号を、ＵＬ受信アンテナ３１０１を介して受信する。ＵＬ受信機３１１０が受信する無線信号には、ＰＵＣＣＨの制御情報とＰＵＳＣＨのデータが含まれている。
【０１７２】
制御情報には、たとえば、無線信号の送信元（ここではＵＥ）や宛先（ここではｅＮＢ）などが含まれている。ＵＬ受信機３１１０は、受信した制御情報およびデータを復号し、復号した制御情報およびデータをＵＬ＿ＰＨＹ処理部３１２０へ出力する。
【０１７３】
ＵＬ＿ＰＨＹ処理部３１２０は、ＵＬ受信機３１１０から出力された制御情報およびデータのレイヤ１（物理層）の処理を行う。ＵＬ＿ＰＨＹ処理部３１２０は、レイヤ１の処理を行った制御情報を中継判断部３１３０へ出力する。また、ＵＬ＿ＰＨＹ処理部３１２０は、レイヤ１の処理を行った制御情報およびデータをＵＬ送信機３１７０へ出力する。
【０１７４】
中継判断部３１３０は、ＵＬ＿ＰＨＹ処理部３１２０から出力された制御情報に基づいて、ＵＬ受信機３１１０によって受信された無線信号がＲＮ３１００の中継対象であるか否かを判断する。たとえば、ＲＮ３１００のメモリには、ＲＮ３１００の中継対象となる無線信号の各宛先を示す登録情報が記憶されている。そして、中継判断部３１３０は、制御情報に含まれる無線信号の宛先が登録情報に含まれているか否かを判断することによって、無線信号がＲＮ３１００の中継対象であるか否かを判断する。中継判断部３１３０は、判断結果をＵＬ送信機３１７０および中継情報生成部３１４０のそれぞれへ出力する。
【０１７５】
中継情報生成部３１４０は、無線信号がＲＮ３１００の中継対象である旨の判断結果が中継判断部３１３０から出力されると中継情報を生成し、生成した中継情報をＤＬ＿ＰＨＹ処理部３１５０へ出力する。中継情報生成部３１４０が生成する中継情報は、ＵＥがｅＮＢを宛先として送信した無線信号をＲＮ３１００によって再生中継することを示す情報である。
【０１７６】
ＤＬ＿ＰＨＹ処理部３１５０は、中継情報生成部３１４０から中継情報が出力されると、ＰＤＣＣＨに中継情報を配置し、ＰＤＣＣＨに配置した中継情報をＤＬ送信機３１６０へ出力する。また、ＤＬ＿ＰＨＹ処理部３１５０は、ＤＬ受信機３１８０から出力された送達確認情報（ＡＣＫまたはＮＡＣＫ）のレイヤ１（物理層）の処理を行い、レイヤ１の処理を行った送達確認情報をＤＬ送信機３１６０へ出力する。
【０１７７】
ＤＬ送信機３１６０は、ＤＬ＿ＰＨＹ処理部３１５０から出力された中継情報を符号化する。ＤＬ送信機３１６０は、符号化した中継情報を、ＤＬ送信アンテナ３１０２を介してＵＥへ送信する。また、ＤＬ送信機３１６０は、ＤＬ＿ＰＨＹ処理部３１５０から出力された送達確認情報を符号化する。ＤＬ送信機３１６０は、符号化した送達確認情報を、ＤＬ送信アンテナ３１０２を介してＵＥへ送信する。
【０１７８】
ＵＬ送信機３１７０は、無線信号がＲＮ３１００の中継対象である旨の判断結果が中継判断部３１３０から出力されると、ＵＬ＿ＰＨＹ処理部３１２０から出力された制御情報およびデータを符号化する。ＵＬ送信機３１７０は、符号化した制御情報およびデータを、ＵＬ送信アンテナ３１０３を介してｅＮＢへ送信する。
【０１７９】
ＤＬ受信機３１８０は、ｅＮＢから送信された無線信号を、ＤＬ受信アンテナ３１０４を介して受信し、受信した送達確認情報を復号する。ＤＬ受信機３１８０が受信する無線信号には、ＰＤＣＣＨの制御情報が含まれている。ＰＤＣＣＨの制御情報には、ＵＥによって送信され、ＲＮ３１００によって再生中継された無線信号に対する送達確認情報（ＡＣＫまたはＮＡＣＫ）が含まれている。ＤＬ受信機３１８０は、復号した制御情報をＤＬ＿ＰＨＹ処理部３１５０へ出力する。
【０１８０】
図３２は、実施の形態８にかかるＵＥの構成を示すブロック図である。実施の形態８にかかるＵＥは、ｅＮＢへ無線信号を送信してから所定期間後に、送信した無線信号に対する送達確認情報をｅＮＢから受信する送信装置である。図３２に示すように、実施の形態８にかかるＵＥ３２００は、送信アンテナ３２０１と、受信アンテナ３２０２と、ＲＬＣ／ＭＡＣ処理部３２１０と、ＵＬ＿ＰＨＹ処理部３２２０と、送信機３２３０と、受信機３２４０と、ＤＬ＿ＰＨＹ処理部３２５０と、中継情報検出部３２６０と、ＡＣＫ／ＮＡＣＫタイミング制御部３２７０と、ＡＣＫ／ＮＡＣＫ受信部３２８０と、を備えている。
【０１８１】
ＲＬＣ／ＭＡＣ処理部３２１０には、たとえば上位の情報処理部から、ｅＮＢを宛先とするアップリンクのデータが入力される。ＲＬＣ／ＭＡＣ処理部３２１０は、入力されたデータに対してレイヤ２の処理を行う。ＲＬＣ／ＭＡＣ処理部３２１０は、レイヤ２の処理を行ったデータと、レイヤ２の制御情報とをＵＬ＿ＰＨＹ処理部３２２０へ出力する。
【０１８２】
また、ＲＬＣ／ＭＡＣ処理部３２１０は、ＡＣＫ／ＮＡＣＫ受信部３２８０から出力された送達確認情報（ＡＣＫまたはＮＡＣＫ）に基づいて、ＵＬ＿ＰＨＹ処理部３２２０へ出力した制御情報およびデータの再送制御を行う。具体的には、ＲＬＣ／ＭＡＣ処理部３２１０は、ＡＣＫ／ＮＡＣＫ受信部３２８０からＮＡＣＫが出力された場合は、ＵＬ＿ＰＨＹ処理部３２２０へ出力した制御情報およびデータを再度、ＵＬ＿ＰＨＹ処理部３２２０へ出力する。
【０１８３】
また、ＲＬＣ／ＭＡＣ処理部３２１０は、ＡＣＫ／ＮＡＣＫ受信部３２８０からＡＣＫが出力された場合はデータの再送を行わない。また、ＲＬＣ／ＭＡＣ処理部３２１０は、ＤＬ＿ＰＨＹ処理部３２５０から出力されたアップリンクの制御情報およびデータに対してレイヤ２の処理を行い、レイヤ２の処理を行った制御情報およびデータを、たとえば上位の情報処理部へ出力する。
【０１８４】
ＵＬ＿ＰＨＹ処理部３２２０は、ＲＬＣ／ＭＡＣ処理部３２１０から出力された制御情報およびデータに対してレイヤ１の処理を行う。ＵＬ＿ＰＨＹ処理部３２２０は、レイヤ１の処理を行った制御情報をＰＵＣＣＨに配置し、ＰＵＣＣＨに配置した制御情報を送信機３２３０へ出力する。また、ＵＬ＿ＰＨＹ処理部３２２０は、レイヤ１の処理を行ったデータをＰＵＳＣＨに配置し、ＰＵＳＣＨに配置したデータを送信機３２３０へ出力する。
【０１８５】
送信機３２３０は、ＵＬ＿ＰＨＹ処理部３２２０から出力された制御情報を、送信アンテナ３２０１を介して送信する。また、送信機３２３０は、ＵＬ＿ＰＨＹ処理部３２２０から出力されたデータを、送信アンテナ３２０１を介して送信する。送信機３２３０によって送信された制御情報およびデータは、ＲＮ３１００（図３１参照）によって受信される。
【０１８６】
受信機３２４０は、ＲＮ３１００から送信されたダウンリンクの無線信号を、受信アンテナ３２０２を介して受信する。受信機３２４０が受信する無線信号には、ＰＤＣＣＨの制御情報とＰＤＳＣＨのデータが含まれている。
【０１８７】
ＰＤＣＣＨの制御情報には、ＲＮ３１００から送信された中継情報が含まれている。また、ＰＤＣＣＨの制御情報には、ＵＥ３２００によって送信された無線信号に対するｅＮＢからの送達確認情報が含まれている。受信機３２４０は、受信した制御情報およびデータを復号し、復号した制御情報およびデータをＤＬ＿ＰＨＹ処理部３２５０へ出力する。
【０１８８】
ＤＬ＿ＰＨＹ処理部３２５０は、受信機３２４０から出力された制御情報およびデータに対してレイヤ１の処理を行い、レイヤ１の処理を行った制御情報およびデータをＲＬＣ／ＭＡＣ処理部３２１０へ出力する。また、ＤＬ＿ＰＨＹ処理部３２５０は、レイヤ１の処理を行った制御情報を中継情報検出部３２６０へ出力する。
【０１８９】
中継情報検出部３２６０は、ＤＬ＿ＰＨＹ処理部３２５０から出力された制御情報を監視し、制御情報に含まれる中継情報を検出する。中継情報検出部３２６０は、中継情報を検出すると、検出した中継情報をＡＣＫ／ＮＡＣＫタイミング制御部３２７０へ出力する。
【０１９０】
ＡＣＫ／ＮＡＣＫタイミング制御部３２７０は、ＡＣＫ／ＮＡＣＫ受信部３２８０が送達確認情報を受信する受信タイミングを制御する。たとえば、ＡＣＫ／ＮＡＣＫタイミング制御部３２７０は、ＵＥ３２００によって無線信号が送信されてから所定期間だけ待機する。そして、ＡＣＫ／ＮＡＣＫタイミング制御部３２７０は、所定期間が経過すると、送達確認情報を受信すべき旨をＡＣＫ／ＮＡＣＫ受信部３２８０に指示する。
【０１９１】
ＡＣＫ／ＮＡＣＫタイミング制御部３２７０が待機する所定期間は、たとえば、ＵＥ３２００によって無線信号が送信されてから、４サブフレーム分（ＰＵＣＣＨとＰＵＳＣＨを含む無線信号を４回送信する期間）である。また、ＡＣＫ／ＮＡＣＫタイミング制御部３２７０は、中継情報検出部３２６０から中継情報が出力されると、中継情報が示す無線信号に対する送達確認情報の受信タイミングを変更する。
【０１９２】
たとえば、ＵＥ３２００のメモリには、ＲＮ３１００による再生中継により無線信号が遅延する時間を示す遅延量情報が記憶されている。そして、ＡＣＫ／ＮＡＣＫタイミング制御部３２７０は、中継情報が示す無線信号に対する送達確認情報の受信タイミングを、遅延量情報が示す時間だけ遅らせる。具体的には、ＡＣＫ／ＮＡＣＫタイミング制御部３２７０は、ＵＥ３２００によって無線信号が送信されてから待機する所定期間を、遅延量情報が示す時間だけ延長する。
【０１９３】
ＡＣＫ／ＮＡＣＫ受信部３２８０は、送達確認情報を受信すべき旨をＡＣＫ／ＮＡＣＫタイミング制御部３２７０から指示されると、ＤＬ＿ＰＨＹ処理部３２５０から出力された制御情報に含まれる送達確認情報を受信する。ＡＣＫ／ＮＡＣＫ受信部３２８０は、受信した送達確認情報をＲＬＣ／ＭＡＣ処理部３２１０へ出力する。
【０１９４】
図３３は、実施の形態８にかかるｅＮＢの構成を示すブロック図である。実施の形態８にかかるｅＮＢは、ＲＮ３１００（図３１参照）の中継によって、ＵＥ３２００（図３２参照）から送信された無線信号を受信する受信装置である。図３３に示すように、実施の形態８にかかるｅＮＢ３３００は、受信アンテナ３３０１と、送信アンテナ３３０２と、受信機３３１０と、ＵＬ＿ＰＨＹ処理部３３２０と、ＲＬＣ／ＭＡＣ処理部３３３０と、ＡＣＫ／ＮＡＣＫ送信部３３４０と、ＤＬ＿ＰＨＹ処理部３３５０と、送信機３３６０と、を備えている。
【０１９５】
受信機３３１０は、ＵＥ３２００から送信され、ＲＮ３１００によって再生中継された無線信号を、受信アンテナ３３０１を介して受信する。受信機３３１０が受信する無線信号には、ＰＵＣＣＨの制御情報とＰＵＳＣＨのデータが含まれている。受信機３３１０は、受信した制御情報およびデータを復号し、復号した制御情報およびデータをＵＬ＿ＰＨＹ処理部３３２０へ出力する。ＵＬ＿ＰＨＹ処理部３３２０は、受信機３３１０から出力された制御情報およびデータのレイヤ１の処理を行い、レイヤ１の処理を行った制御情報およびデータをＲＬＣ／ＭＡＣ処理部３３３０へ出力する。
【０１９６】
ＲＬＣ／ＭＡＣ処理部３３３０は、ＵＬ＿ＰＨＹ処理部３３２０から出力された制御情報およびデータのレイヤ２の処理を行う。たとえば、ＲＬＣ／ＭＡＣ処理部３３３０は、ＵＬ＿ＰＨＹ処理部３３２０から出力された制御情報およびデータのレイヤ２の誤り判定を行い、受信機３３１０によって受信された無線信号が正常に復号できたか否かを判断する。ＲＬＣ／ＭＡＣ処理部３３３０は、判断結果をＡＣＫ／ＮＡＣＫ送信部３３４０へ出力する。
【０１９７】
また、ＲＬＣ／ＭＡＣ処理部３３３０は、レイヤ２の処理を行ったデータを、たとえば上位の情報処理部へ出力する。また、ＲＬＣ／ＭＡＣ処理部３３３０には、たとえば上位の情報処理部から、ＵＥ３２００を宛先とするアップリンクのデータが入力される。ＲＬＣ／ＭＡＣ処理部３３３０は、入力されたデータに対してレイヤ２の処理を行い、レイヤ２の処理を行ったデータとレイヤ２の制御情報とをＤＬ＿ＰＨＹ処理部３３５０へ出力する。
【０１９８】
ＡＣＫ／ＮＡＣＫ送信部３３４０は、ＲＬＣ／ＭＡＣ処理部３３３０から出力された判断結果に応じて、ＵＥ３２００に対する送達確認情報の送信を行う。具体的には、ＡＣＫ／ＮＡＣＫ送信部３３４０は、無線信号を正常に復号できた旨の判断結果がＲＬＣ／ＭＡＣ処理部３３３０から出力されると、送達確認情報としてＡＣＫをＤＬ＿ＰＨＹ処理部３３５０へ出力する。また、ＡＣＫ／ＮＡＣＫ送信部３３４０は、無線信号を正常に復号できなかった旨の判断結果がＲＬＣ／ＭＡＣ処理部３３３０から出力されると、送達確認情報としてＮＡＣＫをＤＬ＿ＰＨＹ処理部３３５０へ出力する。
【０１９９】
ＤＬ＿ＰＨＹ処理部３３５０は、ＲＬＣ／ＭＡＣ処理部３３３０から出力された制御情報およびデータに対してレイヤ１の処理を行い、レイヤ１の処理を行った制御情報およびデータを送信機３３６０へ出力する。また、ＤＬ＿ＰＨＹ処理部３３５０は、ＡＣＫ／ＮＡＣＫ送信部３３４０から出力された送達確認情報（ＡＣＫまたはＮＡＣＫ）をＰＤＣＣＨに配置し、ＰＤＣＣＨに配置した送達確認情報を送信機３３６０へ出力する。
【０２００】
送信機３３６０は、ＤＬ＿ＰＨＹ処理部３３５０から出力された中継情報およびデータを符号化する。送信機３３６０は、符号化した中継情報およびデータを、送信アンテナ３３０２を介して送信する。また、送信機３３６０は、ＤＬ＿ＰＨＹ処理部３３５０から出力された送達確認情報を符号化する。送信機３３６０は、符号化した送達確認情報を、送信アンテナ３３０２を介して送信する。送信機３３６０によって送信された中継情報、データおよび送達確認情報は、ＲＮ３１００によって中継され、ＵＥ３２００によって受信される。
【０２０１】
このように、実施の形態８にかかるＲＮ３１００は、ＵＥ３２００が送信した無線信号がＲＮ３１００によって再生中継されることを示す中継情報をＵＥ３２００へ送信する。これにより、ＵＥ３２００側で、送達確認情報の受信タイミングを、ＲＮ３１００の再生中継による無線信号の遅延分だけ調整することが可能になる。このため、ＲＮ３１００によって再生中継を行っても、ＵＥ３２００が送達確認情報を精度よく受信することができる。したがって、安定して無線信号の再送制御を行うことができる。
【０２０２】
また、ＲＮ３１００からＵＥ３２００へ中継情報を送信することで、ＲＮ３１００によって再生中継する無線信号をＵＥ３２００が特定し、特定した無線信号に対する送達確認情報の受信タイミングを調整することができる。このため、ＲＮ３１００によって再生中継されない無線信号については、ＵＥ３２００は、送達確認情報の受信タイミングを遅らせなくても送達確認情報を精度よく受信することができる。
【０２０３】
このように、実施の形態１をＵＥからｅＮＢへ信号を送信する構成に適用しても、上述した実施の形態１の効果を得ることができる。また、実施の形態２〜７についても同様に、ＵＥからｅＮＢへ信号を送信する構成に適用しても、それぞれ上述した実施の形態２〜７の効果を得ることができる。
【０２０４】
上述した実施の形態に関し、さらに以下の付記を開示する。
【０２０５】
（付記１）受信装置へ無線信号を送信してから所定期間後に前記無線信号に対する送達確認情報を受信する送信装置と前記受信装置とを含む通信システムの中継装置において、
前記送信装置から送信された無線信号を受信して復号する受信手段と、
前記受信手段によって復号された無線信号が中継対象か否かを判断する判断手段と、
前記判断手段によって中継対象であると判断された場合に、前記無線信号を再生中継することを示す中継情報を前記送信装置へ通知する通知手段と、
前記判断手段によって中継対象であると判断された無線信号を前記受信装置へ送信する送信手段と、
を備えることを特徴とする中継装置。
【０２０６】
（付記２）前記通知手段は、自装置の再生中継によって前記無線信号が遅延する時間を示す遅延量情報を含む前記中継情報を通知することを特徴とする付記１に記載の中継装置。
【０２０７】
（付記３）前記中継装置は、前記受信手段によって無線信号が正常に復号されたか否かを判定する復号判定手段をさらに備え、
前記送信手段は、前記復号判定手段によって前記無線信号が正常に復号されたと判定された場合に前記無線信号を前記受信装置へ送信することを特徴とする付記１または２に記載の中継装置。
【０２０８】
（付記４）前記中継装置は、前記受信手段によって復号された無線信号の通信品質が閾値以上か否かを判定する品質判定手段をさらに備え、
前記送信手段は、前記品質判定手段によって通信品質が閾値以上であると判定された場合に前記無線信号を前記受信装置へ送信することを特徴とする付記１または２に記載の中継装置。
【０２０９】
（付記５）受信装置を宛先とする無線信号を送信する送信手段と、
前記送信手段によって前記無線信号が送信されてから所定期間が経過した受信タイミングで前記無線信号に対する送達確認情報を受信する送達確認受信手段と、
前記送信手段によって送信された無線信号を再生中継する中継装置から前記無線信号を再生中継することを示す中継情報を受信する受信手段と、
前記受信手段によって中継情報が受信された場合に、前記送達確認受信手段の前記受信タイミングを所定時間遅延させるタイミング制御手段と、
を備えることを特徴とする送信装置。
【０２１０】
（付記６）前記送信手段は、前記受信手段によって中継情報が受信された場合に、前記中継情報が示す無線信号を再度送信し、
前記送達確認受信手段は、前記送信手段によって前記無線信号が再度送信されてから所定期間が経過した受信タイミングで前記無線信号に対する送達確認情報を受信することを特徴とする付記５に記載の送信装置。
【０２１１】
（付記７）前記受信手段は、前記中継装置の再生中継によって前記無線信号が遅延する時間を示す遅延量情報を含む前記中継情報を受信し、
前記タイミング制御手段は、前記受信手段によって受信された中継情報に含まれる遅延量情報が示す時間だけ前記受信タイミングを遅延させることを特徴とする付記５または６に記載の送信装置。
【０２１２】
（付記８）受信装置を宛先とする無線信号を送信するとともに、前記無線信号を送信してから所定期間が経過した受信タイミングで前記無線信号に対する送達確認情報を受信する送信装置と、
前記送信装置によって送信された無線信号を再生中継するとともに、前記無線信号を再生中継することを示す中継情報を前記送信装置へ送信する中継装置と、
前記中継装置によって再生中継された無線信号を受信する受信装置と、
を含み、
前記送信装置は、前記中継装置によって送信された中継情報を受信した場合に、前記受信タイミングを所定時間遅延させることを特徴とする通信システム。
【０２１３】
（付記９）前記送信装置は、前記中継情報を受信した場合に前記中継情報が示す無線信号を再度送信するとともに、前記無線信号を再度送信してから所定期間が経過した受信タイミングで前記無線信号に対する送達確認情報を受信することを特徴とする付記８に記載の通信システム。
【０２１４】
（付記１０）前記中継装置は、前記中継装置の再生中継によって前記無線信号が遅延する時間を示す遅延量情報を含む前記中継情報を通知し、
前記送信装置は、前記中継装置によって送信された中継情報に含まれる遅延量情報が示す時間だけ前記受信タイミングを遅延させることを特徴とする付記８に記載の通信システム。
【０２１５】
（付記１１）受信装置へ無線信号を送信してから所定期間後に前記無線信号に対する送達確認情報を受信する送信装置と、前記無線信号を再生中継する中継装置と、を含む通信システムの受信装置において、
前記送信装置によって送信され、前記中継装置によって再生中継された無線信号を受信する受信手段と、
前記受信手段によって受信された無線信号が前記中継装置によって再生中継されたことを示す中継情報を前記送信装置へ通知する通知手段と、
を備えることを特徴とする受信装置。
【０２１６】
（付記１２）前記受信手段によって受信された無線信号に対する送達確認情報を前記送信装置における受信タイミングで送信できるか否かを判定する送信可否判定手段と、
前記送信可否判定手段によって前記受信タイミングで送信できないと判定された場合に、前記中継情報を前記送信装置へ通知する前記通知手段と、
を備えることを特徴とする付記１１に記載の受信装置。
【０２１７】
（付記１３）受信装置へ無線信号を送信してから所定期間後に前記無線信号に対する送達確認情報を受信する送信装置と、前記無線信号を再生中継する中継装置と、前記受信装置と、を含む通信システムにおいて、
受信装置を宛先とする無線信号を送信するとともに、前記無線信号を送信してから所定期間が経過した受信タイミングで前記無線信号に対する送達確認情報を受信する送信装置と、
前記送信装置によって送信された無線信号を再生中継する中継装置と、
前記中継装置によって再生中継された無線信号を受信するとともに、前記無線信号が前記中継装置によって再生中継されたことを示す中継情報を前記送信装置へ通知する受信装置と、
を含み、
前記送信装置は、前記中継装置によって送信された中継情報を受信した場合に、前記受信タイミングを所定時間遅延させることを特徴とする通信システム。
【０２１８】
（付記１４）前記受信装置は、前記送達確認情報を前記受信タイミングで送信できるか否かを判定し、前記受信タイミングで送信できないと判定した場合に前記中継情報を前記送信装置へ通知することを特徴とする付記１３に記載の通信システム。
【０２１９】
（付記１５）受信装置へ無線信号を送信してから所定期間後に前記無線信号に対する送達確認情報を受信する送信装置と前記受信装置とを含む通信システムの中継装置の通信方法において、
前記送信装置から送信された無線信号を受信して復号する受信工程と、
前記受信工程によって復号された無線信号が中継対象か否かを判断する判断工程と、
前記判断工程によって中継対象であると判断された場合に、前記無線信号を再生中継することを示す中継情報を前記送信装置へ通知する通知工程と、
前記判断工程によって中継対象であると判断された無線信号を前記受信装置へ送信する送信工程と、
を含むことを特徴とする通信方法。
【０２２０】
（付記１６）受信装置を宛先とする無線信号を送信する送信工程と、
前記送信工程によって前記無線信号が送信されてから所定期間が経過した受信タイミングで前記無線信号に対する送達確認情報を受信する送達確認受信工程と、
前記送信工程によって送信された無線信号を再生中継する中継装置から前記無線信号を再生中継することを示す中継情報を受信する受信工程と、
前記受信工程によって中継情報が受信された場合に、前記送達確認受信工程の前記受信タイミングを所定時間遅延させるタイミング制御工程と、
を含むことを特徴とする通信方法。
【０２２１】
（付記１７）受信装置へ無線信号を送信してから所定期間後に前記無線信号に対する送達確認情報を受信する送信装置と、前記無線信号を再生中継する中継装置と、を含む通信システムの受信装置の通信方法において、
前記送信装置によって送信され、前記中継装置によって再生中継された無線信号を受信する受信工程と、
前記受信工程によって受信された無線信号が前記中継装置によって再生中継されたことを示す中継情報を前記送信装置へ通知する通知工程と、
を含むことを特徴とする通信方法。
【符号の説明】
【０２２２】
１０１  ＤＬ受信アンテナ
１０２  ＵＬ送信アンテナ
１０３  ＤＬ送信アンテナ
１０４  ＵＬ受信アンテナ
２０１，３０２  送信アンテナ
２０２，３０１  受信アンテナ
４１０，４２０，４３０  プロトコルスタック
９５１，９５３  無線信号
９５２  送達確認情報
【図１】
0005435027.tif 000002
【図２】
0005435027.tif 000003
【図３】
0005435027.tif 000004
【図４】
0005435027.tif 000005
【図５】
0005435027.tif 000006
【図６】
0005435027.tif 000007
【図７】
0005435027.tif 000008
【図８】
0005435027.tif 000009
【図９】
0005435027.tif 000010
【図１０】
0005435027.tif 000011
【図１１】
0005435027.tif 000012
【図１２】
0005435027.tif 000013
【図１３】
0005435027.tif 000014
【図１４】
0005435027.tif 000015
【図１５】
0005435027.tif 000016
【図１６】
0005435027.tif 000017
【図１７】
0005435027.tif 000018
【図１８】
0005435027.tif 000019
【図１９】
0005435027.tif 000020
【図２０】
0005435027.tif 000021
【図２１】
0005435027.tif 000022
【図２２】
0005435027.tif 000023
【図２３】
0005435027.tif 000024
【図２４】
0005435027.tif 000025
【図２５】
0005435027.tif 000026
【図２６】
0005435027.tif 000027
【図２７】
0005435027.tif 000028
【図２８】
0005435027.tif 000029
【図２９】
0005435027.tif 000030
【図３０】
0005435027.tif 000031
【図３１】
0005435027.tif 000032
【図３２】
0005435027.tif 000033
【図３３】
0005435027.tif 000034